(57)【要約】  本明細書で開示されるのは、ポリマー繊維の製造のためのカスタマイズ可能な部品のキットである。いくつかの実施形態において、本明細書において提供されるキットは、対向する第１の表面および第２の表面と第１の表面および第２の表面を通って延在する１つまたは複数の孔とを含むスキャフォールドであって、各孔は第１のチャネルおよび第１の連結インターフェースを含む、スキャフォールドを含む。キットは、複数のノズルを追加的に含み、各ノズルは、第２のチャネルおよび第２の連結インターフェースを含み、第２のインターフェースは、第１のチャネルおよび第２のチャネルを流体が通ることを可能にしつつ、各孔の第１の連結インターフェースに、取り外し可能にかつ安定的に結合され得る。キットは、複数の閉鎖構造をさらに含み、各閉鎖構造は、第３の連結インターフェースを含み、第３のインターフェースは、各孔の第１の連結インターフェースに、取り外し可能にかつ安定的に結合され、孔を封止することができる。いくつかの実施形態において、各ノズルの少なくとも第２のチャネルは、繊維の形成を可能にするように構成される内径を有する。
2020532664.tif 000002
【特許請求の範囲】
【請求項１】
対向する第１の表面および第２の表面と、前記第１の表面および前記第２の表面を通って延在する１つまたは複数の孔とを有するスキャフォールドであって、各々の孔は第１のチャネルおよび第１の連結インターフェースを含む、スキャフォールドと、
複数のノズルであって、各々のノズルは、第２のチャネルおよび第２の連結インターフェースを有し、前記第２の連結インターフェースは、前記第１のチャネルおよび前記第２のチャネルを流体が通ることを可能にしつつ、各々の孔の前記第１の連結インターフェースに取り外し可能にかつ安定的に結合できる、複数のノズルと、
複数の閉鎖構造であって、各々の閉鎖構造は、第３の連結インターフェースを有し、前記第３の連結インターフェースは、残りの前記孔の前記第１の連結インターフェースに、取り外し可能にかつ安定的に結合でき、それによって残りの前記孔を封止する、複数の閉鎖構造と、
を備え、
少なくとも前記第２のチャネルは、繊維の形成を可能にするように構成される内径を有する、
システム。
【請求項２】
前記スキャフォールドは、１つまたは複数のセクションを有し、前記１つまたは複数のセクションのそれぞれは、前記複数の孔のうち少なくとも１つを含む、
請求項１に記載のシステム。
【請求項３】
各々のセクションは、独立して、矩形、三角形、平行四辺形、エシュロン、六角形、八角形、および不規則な形状から選択される形状を有する、
請求項２に記載のシステム。
【請求項４】
各々の孔は、前記第１の連結インターフェースを含む取り外し可能なコネクターを含む、
請求項１から３のいずれか１項に記載のシステム。
【請求項５】
前記第１の連結インターフェースは、雄もしくは雌のねじ式取付具、ルアーテーパー取付具、すり合わせ、雄もしくは雌のアメリカ管用ねじ（ｎａｔｉｏｎａｌ  ｐｉｐｅ  ｔｈｒｅａｄ）（ＮＰＴ）取付具、または雄もしくは雌の押し込み式コネクターを含み、前記第２の連結インターフェースおよび前記第３の連結インターフェースは各々、対応する雌もしくは雄のねじ式取付具、ルアーテーパー取付具、すり合わせ、雌もしくは雄のＮＰＴ取付具、または雌もしくは雄の押し込み式コネクターを含む、
先行する請求項１から４のいずれか１項に記載のシステム。
【請求項６】
隣接する複数の孔間の平均距離は、少なくとも１００マイクロメートルである、
請求項５に記載のシステム。
【請求項７】
前記第１のチャネルおよび前記第２のチャネルのうち少なくとも１つは、３センチメートルより小さい内径を有する、
請求項５に記載のシステム。
【請求項８】
対向する第１の表面および第２の表面を有するスキャフォールドであって、前記第１の表面は、ポリマー材料の少なくとも１つの供給源に流体連通する、スキャフォールドと、
前記第１の表面から前記第２の表面まで前記スキャフォールドを通って延在し、前記ポリマー材料を輸送するように構成される複数の孔と
を備え、
各々の孔は、そこから前記ポリマー材料の押し出しを可能にする、または阻止するように個別に構成された連結システムを含む、
装置。
【請求項９】
前記スキャフォールドは、１つまたは複数のセクションを有し、前記１つまたは複数のセクションのそれぞれは、前記複数の孔のうちの１つまたは複数を含む、
請求項８に記載の装置。
【請求項１０】
孔を含む前記複数のセクションのうち少なくとも１つにおいて、前記複数の孔は所定のパターンに従って配置される、
請求項９に記載の装置。
【請求項１１】
前記パターンは、矩形、三角形、平行四辺形、エシュロン、六角形、八角形、およびそれらの組み合わせから選択される、
請求項１０に記載の装置。
【請求項１２】
孔を含む前記複数のセクションのうち少なくとも１つにおいて、前記複数の孔はランダムなパターンに従って配置される、
請求項９から１１のいずれか１項に記載の装置。
【請求項１３】
各々の孔は、独立して、円形、矩形、三角形、平行四辺形、エシュロン、六角形、八角形、および不規則な形状から選択される横断面形状を有する、
請求項８から１２のいずれか１項に記載の装置。
【請求項１４】
各々の連結システムは、独立して、選択可能なオン構成およびオフ構成を含み、前記オン構成により、前記連結システムからの前記ポリマー材料の押し出しが可能になり、前記オフ構成により、前記押し出しが阻止される、
請求項８から１３のいずれか１項に記載の装置。
【請求項１５】
スキャフォールドの第１の表面を、ポリマー材料の少なくとも１つの供給源に接触させる段階であって、前記スキャフォールドは、前記第１の表面に対向する第２の表面と、前記第１の表面および前記第２の表面を通って延在する複数の孔とを有し、各々の孔は、第１のチャネルと、取り外し可能なノズルの第２の連結インターフェースまたは取り外し可能な閉鎖構造の第３の連結インターフェースと結合するように構成される第１の連結インターフェースとを含む、段階と、
前記複数の孔のうちの一部の前記第１の連結インターフェースを、複数の取り外し可能なノズルの前記第２の連結インターフェースに結合する段階であって、各々の取り外し可能なノズルは、それが結合された前記孔の前記第１のチャネルに流体連通する第２のチャネルを含み、少なくとも前記第２のチャネルのそれぞれは、前記ポリマー材料からの繊維の形成を可能にするように構成される内径を有する、段階と、
残りのすべての孔の前記第１の連結インターフェースを、複数の取り外し可能な閉鎖構造の前記第３の連結インターフェースと結合する段階であって、各々の取り外し可能な閉鎖構造は、それが結合された前記孔を封止するように構成される、段階と、
前記取り外し可能なノズルの前記第２のチャネルから前記ポリマー材料を押し出して前記繊維を形成する段階と
を備える方法。
【請求項１６】
各々の孔は、前記第１の連結インターフェースを含む取り外し可能なコネクターを含む、
請求項１５に記載の方法。
【請求項１７】
前記第１の連結インターフェースは各々、雄もしくは雌のねじ式取付具、ルアーテーパー取付具、すり合わせ、雄もしくは雌のアメリカ管用ねじ（ＮＰＴ）取付具、または雄もしくは雌の押し込み式コネクターを含み、前記第２の連結インターフェースおよび前記第３の連結インターフェースは各々、対応する雌もしくは雄のねじ式取付具、ルアーテーパー取付具、すり合わせ、雌もしくは雄のＮＰＴ取付具、または雌もしくは雄の押し込み式コネクターを含む、
請求項１５または１６に記載の方法。
【請求項１８】
隣接する複数の孔間の平均距離は、少なくとも１００マイクロメートルである、
請求項１５から１７のいずれか１項に記載の方法。
【請求項１９】
前記スキャフォールドは、矩形、三角形、平行四辺形、エシュロン、六角形、八角形、および不規則な形状から選択される形状を、各々独立して含む１つまたは複数のセクションを有する、
請求項１５から１８のいずれか１項に記載の方法。
【請求項２０】
コアユニットおよびシェルユニットを備える、バイチャネル電界紡糸ノズルであって、
前記コアユニットは、
開口部を有する基部、および前記基部の周りに周壁を有する、シェルカバーと、
前記シェルカバーの前記基部の底部に配された磁気プレートであって、前記磁気プレートは、前記シェルカバーの前記基部の前記開口部と少なくとも部分的に重なる開口部を有する、磁気プレートと、
前記シェルカバーの前記基部の上にかつ前記シェルカバーの前記周壁内に配されたコアポリマー容器であって、前記コアポリマー容器は、前記シェルカバーの前記基部の前記開口部および前記磁気プレートの前記開口部を貫通するコアチャネルカバーに接続され、前記コアチャネルカバーはコアチャネルを囲み、前記コアチャネルは、前記コアポリマー容器中のコアポリマー流体が前記コアチャネルの近位端に流れ込み、前記コアチャネルの遠位端で吐出されることを可能にするように構成される、コアポリマー容器と
を有し、
前記シェルカバー、前記磁気プレート、および前記コアポリマー容器は、シェルポリマー容器を形成し、
前記シェルユニットは、上部、およびシェルチャネルを囲むシェルチャネルカバーを有し、前記上部は、前記コアチャネルカバーが前記シェルチャネルを貫通することを可能にしつつ、前記磁気プレートに、磁気的にかつ取り外し可能に取り付けられるための材料を含む、
バイチャネル電界紡糸ノズル。
【請求項２１】
コアユニットおよびシェルユニットを備える、バイチャネル電界紡糸ノズルであって、
前記コアユニットは、コアチャネルを囲むコアチャネルカバーに接続されたコアポリマー容器であって、前記コアチャネルは、前記コアポリマー容器中のコアポリマー流体が前記コアチャネルの近位端に流れ込み、前記コアチャネルの遠位端で吐出されることを可能にするように構成される、コアポリマー容器を有し、
前記シェルユニットは、
基部および上部を有するシェルカバーであって、前記上部は開口部を有し、前記シェルカバーはシェルチャネルを囲む、シェルカバーと、
前記シェルカバーの前記上部の上に配された取付プレートであって、前記取付プレートは、前記シェルカバーの前記上部の前記開口部と少なくとも部分的に重なる開口部を有する、取付プレートと
を有し、
前記シェルカバーの前記上部の前記開口部および前記取付プレートの前記開口部は、前記シェルカバーの前記上部および前記取付プレートが前記コアチャネルカバーの外面上で摺動することを可能にするのに適切なサイズおよび形状を有する、
バイチャネル電界紡糸ノズル。
【請求項２２】
前記取付プレートは、可撓性材料でできている、
請求項２１に記載のバイチャネル電界紡糸ノズル。
【請求項２３】
前記シェルチャネルをシェルポリマー供給に接続するためのシェルポリマーチューブをさらに備える、
請求項２１または２２に記載のバイチャネル電界紡糸ノズル。
【請求項２４】
コアユニットおよびシェルユニットを備える、バイチャネル電界紡糸ノズルであって、
前記コアユニットは、
コアチャネルを囲むコアチャネルカバーであって、前記コアチャネルカバーは、近位端および遠位端を有する、コアチャネルカバーと、
前記コアチャネルカバーの遠位部分を取り囲むスペーサと、
前記コアチャネルカバーの近位部分を取り囲む第１のシェルチャネルカバーであって、前記第１のシェルチャネルカバーの内面および前記コアチャネルカバーの外面は、シェルチャネルを形成し、前記第１のシェルチャネルカバーの遠位部分は、第１のシェルチャネルと外側の空間とを接続する１つまたは複数の開口部を含む、第１のシェルチャネルカバーと
を有し、
前記シェルユニットは、近位端と、遠位部分とを含む第２のシェルチャネルカバーを有するシェルユニットであって、前記第２のシェルチャネルカバーは、前記コアチャネルカバーの前記近位端が前記シェルユニットの内部シェルチャネルを貫通することを可能にしつつ、前記第１のシェルチャネルカバーの前記近位部分に取り外し可能に取り付けられるように構成される、シェルユニットである、
バイチャネル電界紡糸ノズル。
【請求項２５】
スキャフォールドに挿入された、請求項２４に記載の１つまたは複数のバイチャネル電界紡糸ノズルを含む、ノズルシステムであって、
前記スキャフォールドは、第１のプレートと第２のプレートとの間に組み込まれたシェルポリマー容器、および前記第２のプレートと第３のプレートとの間に組み込まれたコアポリマー容器を含み、
前記スペーサは、前記コアチャネルの遠位端が前記コアポリマー容器と流体連通するように、前記第２のプレートの開口部に挿入されており、
前記第１のシェルチャネルカバーは、前記複数の開口部により前記シェルチャネルが前記シェルポリマー容器と流体連通することが可能になるように、前記第１のプレート内に部分的に配される、
ノズルシステム。
【発明の詳細な説明】
【背景技術】
【０００１】
繊維紡糸デバイスは、繊維を形成するために、流体、たとえば、ポリマー溶液またはポリマーメルトを押し出すために使用される。このようなデバイスは、典型的に、複数の紡糸口金を備えるプレートに動作可能に結合した容器を含み、当該容器は押し出される流体を含む。粘性流体の流れは、プレートの紡糸口金を介して空気または液体中へと出され、それによって転相が起こり流体が凝固可能となり繊維形態になる。繊維紡糸デバイスはまた、形成した繊維の収集手段（たとえば、浴、プラットフォームなど）を備える場合がある。
【０００２】
繊維、たとえばポリマー繊維は、様々な多様の用途において使用される。たとえば、ポリマー集合体またはポリマーウェブは、フィルター、医療用衣服および保護衣服、断熱材、天井タイル、電池セパレータ媒体、組織工学スキャフォールドなどにおいて使用される。したがって、多くの場合、繊維に関連する特性および属性を細かく調整できることは、必要であるかつ／または望ましい。したがって、当技術分野において、高度に調整可能な繊維形成のための、一般的でカスタマイズ可能な繊維紡糸デバイスが必要とされる。
【発明の概要】
【０００３】
本開示は、繊維の製造のための、無比でカスタマイズ可能なシステム、デバイス、およびキットを提供する。
【０００４】
したがって、一実施形態において、本明細書において提供されるのは、対向する第１の表面および第２の表面と、第１の表面および第２の表面を通って延在する１つまたは複数の孔とを含むスキャフォールドを含む部品のキットであり、各孔は第１のチャネルおよび第１の連結インターフェースを含む。部品のキットは、複数のノズルを追加的に含み、各ノズルは、第２のチャネルおよび第２の連結インターフェースを含み、第２のインターフェースは、第１のチャネルおよび第２のチャネルを流体が通ることを可能にしつつ、各孔の第１の連結インターフェースに、取り外し可能にかつ安定的に結合され得る。キットは、複数の閉鎖構造をさらに含み、各閉鎖構造は、第３の連結インターフェースを含み、第３のインターフェースは、各孔の第１の連結インターフェースに、取り外し可能にかつ安定的に結合され、それによって孔を封止することができる。いくつかの実施形態において、各ノズルの少なくとも第２のチャネルは、繊維の形成を可能にするように構成される内径を有する。
【０００５】
いくつかの実施形態において、スキャフォールドは、１つまたは複数のセクションを含み、セクションのそれぞれは、孔のうち少なくとも１つを含む。
【０００６】
いくつかの実施形態において、スキャフォールドは、孔を含まない少なくとも１つのセクションを含む。
【０００７】
いくつかの実施形態において、スキャフォールドの各セクションは、独立して、矩形、三角形、平行四辺形、エシュロン、六角形、八角形、および不規則な形状から選択される形状を有する。
【０００８】
いくつかの実施形態において、スキャフォールドの各セクションは、独立したプレートである。
【０００９】
いくつかの実施形態において、スキャフォールドの各孔は、第１の連結インターフェースを含む取り外し可能なコネクターを含む。いくつかの実施形態において、各孔の取り外し可能なコネクターの少なくとも部分は、スキャフォールドの第２の表面を超えて延在する（たとえば、下方に突出する）。たとえば、取り外し可能なコネクターは、上面および下面を有する第１の領域を含んでもよく、上記第１の領域の下面はノズルプレートの第２の表面より下の／低いある特定の距離に位置付けられ、上記第１の領域の上面は、ノズルプレートの第２の表面より上に／高く位置付けられる。いくつかの実施形態において、第１の連結インターフェースは、取り外し可能なコネクターの第１の領域内に位置される。
【００１０】
いくつかの実施形態において、各孔の第１の連結インターフェースは、雄もしくは雌のねじ式取付具、ルアーテーパー取付具、すり合わせ、雄もしくは雌のアメリカ管用ねじ（ｎａｔｉｏｎａｌ  ｐｉｐｅ  ｔｈｒｅａｄ）（ＮＰＴ）取付具、または雄もしくは雌の押し込み式コネクターを含み、各ノズルおよび閉鎖構造のそれぞれ第２の連結インターフェースおよび第３の連結インターフェースは、対応する雌もしくは雄のねじ式取付具、ルアーテーパー取付具、すり合わせ、対応する雌もしくは雄のＮＰＴ取付具、または対応する雌もしくは雄の押し込み式コネクターを含む。
【００１１】
いくつかの実施形態において、スキャフォールドの隣接する孔間の平均距離は、少なくとも１００マイクロメートルである。
【００１２】
いくつかの実施形態において、各孔の第１のチャネルおよび各ノズルの第２のチャネルのうち少なくとも１つは、３センチメートル未満の内径を有する。
【００１３】
本明細書においてさらに提供されるのは、一実施形態において、対向する第１の表面および第２の表面と、第１の表面および第２の表面を通って延在する複数の孔とを含むスキャフォールドを含むシステムであり、各孔は第１のチャネルおよび第１の連結インターフェースを含む。システムは、複数のノズルを追加的に含み、各ノズルは、第２のチャネルおよび第２の連結インターフェースを含み、第２のインターフェースは、第１のチャネルおよび第２のチャネルを流体が通ることを可能にしつつ、孔の一部の第１の連結インターフェースに、取り外し可能にかつ安定的に結合される。システムは、複数の閉鎖構造をさらに含み、各閉鎖構造は、第３の連結インターフェースを含み、第３のインターフェースは、残りの孔の第１の連結インターフェースに、取り外し可能にかつ安定的に結合され、それによって残りの孔を封止する。いくつかの実施形態において、各ノズルの少なくとも第２のチャネルは、繊維の形成を可能にするように構成される内径を有する。
【００１４】
本明細書においてさらに提供されるのは、一実施形態において、対向する第１の表面および第２の表面を含むスキャフォールドであり、第１の表面はポリマー材料の少なくとも１つの供給源に流体連通するスキャフォールドと、第１の表面から第２の表面までスキャフォールドを通って延在し、ポリマー材料を輸送するように構成された複数の孔とを含む装置であって、各孔は、そこからのポリマー材料の押し出しを可能にする、または阻止するように、個別に／独立して構成される連結システムを含む。
【００１５】
いくつかの実施形態において、スキャフォールドは、１つまたは複数のセクションを含み、セクションのそれぞれは、孔のうちの１つまたは複数を含む。
【００１６】
いくつかの実施形態において、スキャフォールドは、孔を含まない少なくとも１つのセクションを含む。
【００１７】
いくつかの実施形態において、スキャフォールドの各セクションは、独立して、矩形、三角形、平行四辺形、エシュロン、六角形、八角形、および不規則な形状から選択される形状を有する。
【００１８】
いくつかの実施形態において、スキャフォールドは、互いに異なる形状を有する少なくとも２つのセクションを含む。
【００１９】
いくつかの実施形態において、スキャフォールドの各セクションは、独立したプレートである。
【００２０】
いくつかの実施形態において、孔を含むスキャフォールドの複数のセクションのうち少なくとも１つにおいて、上記孔は所定のパターンに従って配置される。いくつかの実施形態において、パターンは、矩形、三角形、平行四辺形、エシュロン、六角形、八角形、およびそれらの組み合わせから選択される。
【００２１】
いくつかの実施形態において、孔を含むスキャフォールドの複数のセクションのうち少なくとも１つにおいて、上記孔はランダムなパターンに従って配置される。
【００２２】
いくつかの実施形態において、スキャフォールドの各孔は、独立して、円形、矩形、三角形、平行四辺形、エシュロン、六角形、八角形、および不規則な形状から選択される横断面形状を有する。
【００２３】
いくつかの実施形態において、スキャフォールドの孔のうちの１つまたは複数は、ノズルプレートの第１の表面で、またはその近傍に、第１の断面形状を有してもよく、ノズルプレートの第２の表面で、またはその近傍に、第２の断面形状を有してもよい。いくつかの実施形態において、第１の断面形状は、第２の断面形状と異なる。いくつかの実施形態において、第１の断面形状および第２の断面形状は、それぞれ独立して、円形、矩形、三角形、平行四辺形、エシュロン、六角形、八角形、および不規則な形状から選択される。
【００２４】
いくつかの実施形態において、各連結システムは、独立して、選択可能なオン構成およびオフ構成を含み、オン構成により、連結システムからのポリマー材料の押し出しが可能になり、オフ構成により、上記押し出しが阻止される。
【００２５】
いくつかの実施形態において、オン構成における孔の各連結システムは、少なくとも１つの取り外し可能なノズルを含み、少なくとも１つの取り外し可能なノズルは、ポリマー材料を受け取るように構成された投入端、およびポリマー材料が押し出される排出端を有するチャネルを含む。いくつかの実施形態において、チャネルの幅は、投入端から排出端まで均一である。いくつかの実施形態において、チャネルの幅は、投入端から排出端まで増大する。いくつかの実施形態において、チャネルの幅は、投入端から排出端まで減少する。
【００２６】
いくつかの実施形態において、オン構成における少なくとも１つの連結システムは、少なくとも１つの取り外し可能なノズルが結合される取付具を含む。いくつかの実施形態において、取付具は、ねじ式取付具、ルアーテーパー、すり合わせ、アメリカ管用ねじ（ＮＰＴ）取付具、または押し込み式コネクターである。
【００２７】
いくつかの実施形態において、オン構成における少なくとも１つの連結システムは、それぞれの孔の少なくともの一部に直接結合される少なくとも１つの取り外し可能なノズルを含む。
【００２８】
いくつかの実施形態において、スキャフォールドの孔のうち少なくとも１つの連結システムは、オン構成にある。
【００２９】
いくつかの実施形態において、スキャフォールドの孔のうちの大多数の連結システムは、オン構成にある。
【００３０】
いくつかの実施形態において、スキャフォールドの孔のそれぞれの連結システムは、オン構成にある。
【００３１】
いくつかの実施形態において、オフ構成における各連結システムは、それぞれの孔を封止するように構成された取り外し可能な閉鎖構造を含む。
【００３２】
いくつかの実施形態において、オフ構成における少なくとも１つの連結システムは、取り外し可能な閉鎖構造が結合される取付具を含む。いくつかの実施形態において、取付具は、ねじ式取付具、ルアーテーパー、すり合わせ、アメリカ管用ねじ（ＮＰＴ）取付具、または押し込み式コネクターである。
【００３３】
いくつかの実施形態において、オフ構成における少なくとも１つの連結システムは、閉鎖構造それぞれの孔に直接結合される取り外し可能な閉鎖構造を含む。
【００３４】
いくつかの実施形態において、スキャフォールドの孔のうち少なくとも１つの連結システムは、オフ構成にある。
【００３５】
いくつかの実施形態において、スキャフォールドの孔のうちの大多数の連結システムは、オフ構成にある。
【００３６】
いくつかの実施形態において、スキャフォールドの孔のそれぞれの連結システムは、オフ構成にある。
【００３７】
いくつかの実施形態において、スキャフォールドの隣接する孔間の平均距離は、少なくとも１００マイクロメートルである。
【００３８】
本明細書においてさらに提供されるのは、一実施形態において、スキャフォールドの第１の表面をポリマー材料の少なくとも１つの供給源に接触させる段階を含む方法であり、スキャフォールドは、第１の表面に対向する第２の表面と、第１の表面および第２の表面を通って延在する複数の孔とを含む。各孔は、第１のチャネルと、取り外し可能なノズルの第２の連結インターフェースまたは取り外し可能な閉鎖構造の第３の連結インターフェースと結合するように構成された第１の連結インターフェースとを含む。方法は、孔の一部の第１の連結インターフェースを、複数の取り外し可能なノズルの第２の連結インターフェースに結合する段階を追加的に含む。各取り外し可能なノズルは、それが結合された孔の第１のチャネルに流体連通する第２のチャネルを含み、ノズルの少なくとも第２のチャネルは、ポリマー材料からの繊維の形成を可能にするように構成された内径を有する。方法はまた、残りのすべての孔の第１の連結インターフェースを、複数の取り外し可能な閉鎖構造の第３の連結インターフェースと結合する段階であって、各取り外し可能な閉鎖構造は、それが結合された孔を封止するように構成された段階と、取り外し可能なノズルの第２のチャネルからポリマー材料を押し出して繊維を形成する段階とを含む。
【００３９】
いくつかの実施形態において、各孔は、第１の連結インターフェースを含む取り外し可能なコネクターを含む。いくつかの実施形態において、各孔の取り外し可能なコネクターの少なくとも一部は、スキャフォールドの第２の表面を超えて延在する（たとえば、下方に突出する）。たとえば、第１の連結インターフェースは、上面および下面を有する第１の領域を含んでもよく、上記第１の領域の下面はノズルプレートの第２の表面より下の／低いある特定の距離に位置付けられ、上記第１の領域の上面は、ノズルプレートの第２の表面より上に／高く位置付けられる。いくつかの実施形態において、第１の連結インターフェースは、取り外し可能なコネクターの第１の領域内に位置される。
【００４０】
いくつかの実施形態において、各孔の第１の連結インターフェースは、雄もしくは雌のねじ式取付具、ルアーテーパー取付具、すり合わせ、雄もしくは雌のアメリカ管用ねじ（ＮＰＴ）取付具、または雄もしくは雌の押し込み式コネクターを含み、各ノズルおよび閉鎖構造のそれぞれ第２の連結インターフェースおよび第３の連結インターフェースは、対応する雌もしくは雄のねじ式取付具、ルアーテーパー取付具、すり合わせ、対応する雌もしくは雄のＮＰＴ取付具、または対応する雌もしくは雄の押し込み式コネクターを含む。
【００４１】
いくつかの実施形態において、隣接する孔間の平均距離は、少なくとも１００マイクロメートルである。
【００４２】
いくつかの実施形態において、スキャフォールドは、矩形、三角形、平行四辺形、エシュロン、六角形、八角形、および不規則な形状から選択される形状を、それぞれ独立して含む１つまたは複数のセクションを含む。
【００４３】
いくつかの実施形態において、複数のセクションのうち少なくとも１つは、孔のうちの１つまたは複数を含む。
【００４４】
いくつかの実施形態において、複数のセクションのうち少なくとも１つは、孔を含まない。
【００４５】
いくつかの実施形態において、各セクションは、独立したプレートである。
【００４６】
本開示の別の実施形態は、コアユニットおよびシェルユニットを含むバイチャネル電界紡糸ノズルを提供し、コアユニットは、基部、および基部の周りの周壁を有するシェルカバーであって、基部は開口部を有する、シェルカバーと；シェルカバーの基部の底部に配された磁気プレートであって、磁気プレートは、シェルカバーの基部の開口部と少なくとも部分的に重なる開口部を有する、磁気プレートと；シェルカバーの基部の上に、かつ周壁内に配されたコアポリマー容器であって、コアポリマー容器は、シェルカバーの基部の開口部および磁気プレートの開口部を貫通するコアチャネルカバーに接続され、コアチャネルカバーは、コアチャネルを囲み、コアチャネルは、コアポリマー容器中のコアポリマー流体がコアチャネルの近位端に流れ込み、コアチャネルの遠位端で吐出されることを可能にするように構成された、コアポリマー容器と；を含み、シェルカバー、磁気プレート、およびコアポリマー容器は、シェルポリマー容器を形成し、シェルユニットは、上部、およびシェルチャネルを囲むシェルチャネルカバーを含み、上部は、コアチャネルカバーがシェルチャネルを貫通することを可能にしつつ、磁気プレートに、磁気的にかつ取り外し可能に取り付けられるための材料を含む。いくつかの実施形態において、シェルカバー、磁気プレート、およびコアポリマー容器は、１つまたは複数のねじで一緒に固定される。
【００４７】
本開示の別の実施形態は、コアユニットおよびシェルユニットを含むバイチャネル電界紡糸ノズルを提供し、コアユニットは、コアチャネルを囲むコアチャネルカバーに接続されたコアポリマー容器であって、コアチャネルは、コアポリマー容器中のコアポリマー流体がコアチャネルの近位端に流れ込み、コアチャネルの遠位端で吐出されることを可能にするように構成された、コアポリマー容器を含み、シェルユニットは、基部および上部を有するシェルカバーであって、上部は開口部を有し、シェルカバーはシェルチャネルを囲む、シェルカバーと；シェルカバーの上部の上に配された取付プレートであって、取付プレートは、シェルカバーの上部の開口部と少なくとも部分的に重なる開口部を有し、シェルカバーの上部の開口部および取付プレートの開口部は、シェルカバーの上部および取付物がコアチャネルカバーの外面上で摺動することを可能にするのに好適なサイズおよび形状を有する、取付プレートと；を含む。いくつかの実施形態において、取付プレートは、可撓性材料でできている。いくつかの実施形態において、ノズルは、シェルチャネルをシェルポリマー供給に接続するためのシェルポリマーチューブをさらに含む。
【００４８】
さらに、別の実施形態において、コアユニットおよびシェルユニットを含むバイチャネル電界紡糸ノズルが提供され、コアユニットは、コアチャネルを囲むコアチャネルカバーであって、コアチャネルカバーは、近位端および遠位端を有する、コアチャネルカバーと；コアチャネルカバーの遠位部分を取り囲むスペーサと；コアチャネルカバーの近位部分を取り囲む第１のシェルチャネルカバーであって、第１のシェルチャネルカバーの内面およびコアチャネルカバーの外面は、シェルチャネルを形成し、第１のシェルチャネルカバーの遠位部分は、第１のシェルチャネルと外側の空間とを接続する１つまたは複数の開口部とを含む、第１のシェルチャネルカバーと；を含み、シェルユニットは、近位端と、遠位部分とを含む第２のシェルチャネルカバーを有するシェルユニットであって、第２のシェルチャネルカバーは、コアチャネルカバーの近位端がシェルユニットの内部シェルチャネルを貫通することを可能にしつつ、第１のシェルチャネルカバーの近位部分に取り外し可能に取り付けられるように構成される。
【００４９】
いくつかの実施形態において、コアユニットは、第１のシェルチャネルカバーの外側に配された、締結ねじおよび第１のガスケットをさらに含む。いくつかの実施形態において、コアユニットは、直径がスペーサより大きく、スペーサおよびシェルチャネルカバーの間に配された、第２のガスケットをさらに含む。
【００５０】
一実施形態において、スキャフォールドに挿入された、上記の実施形態のうちの１つの、１つまたは複数のノズルを含むノズルシステムがさらに提供され、スキャフォールドは、第１のプレートと第２のプレートとの間に組み込まれたシェルポリマー容器、および第２のプレートと第３のプレートとの間に組み込まれたコアポリマー容器を含み、スペーサは、コアチャネルの遠位端がコアポリマー容器と流体連通するように、第２のプレートの開口部に挿入されており、第１のシェルチャネルカバーは、開口部によりシェルチャネルがシェルポリマー容器と流体連通することが可能になるように、第１のプレート内に部分的に配される。
【図面の簡単な説明】
【００５１】
本発明の例示的かつ非限定的な実施形態は、添付の図面を参照することにより、より容易に理解することができる。
【００５２】
【図１Ａ】一実施形態によるノズルプレートの断面側面図を示す。
【図１Ｂ】一実施形態によるノズルプレートの上面図を示す。
【００５３】
【図２Ａ】本明細書で説明されるノズルプレート、および／またはその構成要素が取り得る例示的な形状を示す。
【図２Ｂ】本明細書で説明されるノズルプレート、および／またはその構成要素が取り得る例示的な形状を示す。
【図２Ｃ】本明細書で説明されるノズルプレート、および／またはその構成要素が取り得る例示的な形状を示す。
【図２Ｄ】本明細書で説明されるノズルプレート、および／またはその構成要素が取り得る例示的な形状を示す。
【図２Ｅ】本明細書で説明されるノズルプレート、および／またはその構成要素が取り得る例示的な形状を示す。
【図２Ｆ】本明細書で説明されるノズルプレート、および／またはその構成要素が取り得る例示的な形状を示す。
【図２Ｇ】本明細書で説明されるノズルプレート、および／またはその構成要素が取り得る例示的な形状を示す。
【図２Ｈ】本明細書で説明されるノズルプレート、および／またはその構成要素が取り得る例示的な形状を示す。
【００５４】
【図３Ａ】ノズルプレートの少なくとも孔が取り得る例示的な不規則な形状を示す。
【図３Ｂ】ノズルプレートの少なくとも孔が取り得る例示的な不規則な形状を示す。
【図３Ｃ】ノズルプレートの少なくとも孔が取り得る例示的な不規則な形状を示す。
【００５５】
【図４Ａ】ノズルプレートの孔の配置のための例示的なパターンを示す。
【図４Ｂ】ノズルプレートの孔の配置のための例示的なパターンを示す。
【図４Ｃ】ノズルプレートの孔の配置のための例示的なパターンを示す。
【図４Ｄ】ノズルプレートの孔の配置のための例示的なパターンを示す。
【図４Ｅ】ノズルプレートの孔の配置のための例示的なパターンを示す。
【００５６】
【図４Ｆ】ノズルプレートの孔の配置のためのパターンの例示的な組み合わせを示す。
【図４Ｇ】ノズルプレートの孔の配置のためのパターンの例示的な組み合わせを示す。
【図４Ｈ】ノズルプレートの孔の配置のためのパターンの例示的な組み合わせを示す。
【００５７】
【図４Ｉ】ノズルプレートの孔の配置のための例示的なランダムなパターンを示す。
【００５８】
【図５Ａ】一実施形態による、３構成要素連結システムを構成する孔の分解組立断面図を示す。
【図５Ｂ】一実施形態による、３構成要素連結システムを構成する孔の分解組立断面図を示す。
【００５９】
【図６Ａ】一実施形態による、その長さに沿って実質的に均一の直径を有する孔の分解組立断面図を示す。
【００６０】
【図６Ｂ】一実施形態による、その投入端から排出端まで増大する直径を有する孔の分解組立断面図を示す。
【図６Ｃ】一実施形態による、その投入端から排出端まで増大する直径を有する孔の分解組立断面図を示す。
【００６１】
【図６Ｄ】一実施形態による、その投入端から排出端まで減少する直径を有する孔の分解組立断面図を示す。
【図６Ｅ】一実施形態による、その投入端から排出端まで減少する直径を有する孔の分解組立断面図を示す。
【００６２】
【図７Ａ】一実施形態による、２構成要素連結システムを構成する孔の分解組立断面図を示す。
【図７Ｂ】一実施形態による、２構成要素連結システムを構成する孔の分解組立断面図を示す。
【００６３】
【図８Ａ】一実施形態による、１構成要素連結システムを構成する孔の分解組立断面図を示す。
【図８Ｂ】一実施形態による、１構成要素連結システムを構成する孔の分解組立断面図を示す。
【００６４】
【図９Ａ】一実施形態による、孔が実質的に矩形のパターンに配置された、実質的に矩形の形状を含むノズルプレートを示し、第１の複数の孔はそれぞれ、３構成要素連結システムを構成し、第２の複数の孔はそれぞれ、２構成要素連結システムを構成し、第３の複数の孔はそれぞれ、１構成要素連結システムを構成する。
【００６５】
【図９Ｂ】一実施形態による、孔が実質的に矩形のパターンに配置された、実質的に矩形の形状を含むノズルプレートを示し、各孔は、「オン」構成または「オフ」構成のいずれかで構成された連結システムを含む。
【００６６】
【図９Ｃ】一実施形態による、孔が実質的に三角形のパターンに配置された、実質的に三角形の形状を含むノズルプレートを示し、各孔は、「オン」構成または「オフ」構成のいずれかで構成された連結システムを含む。
【００６７】
【図１０Ａ】一実施形態による、繊維形成のために構成された部品のキットの断面側面図を示す。
【図１０Ｂ】一実施形態による部品のキットの上面図を示す。
【００６８】
【図１１Ａ】図１０のキットが、種々の形状のセクションを有するスキャフォールドを含む例示的な実施形態を示す。
【図１１Ｂ】図１０のキットが、種々の形状のセクションを有するスキャフォールドを含む例示的な実施形態を示す。
【図１１Ｃ】図１０のキットが、種々の形状のセクションを有するスキャフォールドを含む例示的な実施形態を示す。
【図１１Ｄ】図１０のキットが、種々の形状のセクションを有するスキャフォールドを含む例示的な実施形態を示す。
【００６９】
【図１２Ａ】バイチャネルノズルを示す。
【図１２Ｂ】ノズルプレート上にノズルを構築するための異なる構成を示す。
【図１２Ｃ】ノズルプレート上にノズルを構築するための異なる構成を示す。
【図１２Ｄ】ノズルプレート上にノズルを構築するための異なる構成を示す。
【００７０】
【図１３】バイチャネルノズルの例を示す。
【００７１】
【図１４Ａ】バイチャネルノズルの別の例を示す。
【図１４Ｂ】このようなバイチャネルノズルをいかに複数接続できるかを示す。
【００７２】
【図１５】バイチャネルノズル、およびノズルが接続され得るノズルプレートを示す。
【００７３】
【図１６】一実施形態による、本明細書で説明される繊維形成デバイスを使用するための方法のフローチャートを示す。
【発明を実施するための形態】
【００７４】
本明細書において説明されるのは、繊維形成のためのデバイス、システム、およびキット、ならびにそれらを使用するための方法である。本明細書で説明される、これらの独自の繊維形成デバイス、システム、およびキットは、高度にカスタマイズ可能であり、調整可能なポリマー繊維形成を可能にする。例示的なデバイス、システム、およびキットは、１つまたは複数のノズルプレート、またはスキャフォールドを含んでもよく、各ノズルプレートまたはスキャフォールドは、ポリマー溶液またはポリマーメルトなどの流体を輸送するように構成された複数の孔を含む。スキャフォールドまたはノズルプレートならびにそれぞれ個別の孔の形状およびサイズは、カスタマイズされてもよい。孔のパターン／配置も、カスタマイズされてもよい。さらに、各孔は、連結システムを独立して含んでもよく、連結システムは、それぞれの孔からの流体の押し出しを可能にする、または阻止するように、選択可能に構成することができる。これらの要素のそれぞれをカスタマイズする能力により、形成される繊維の特性（たとえば、繊維径、形状、配向／配列、得られる繊維パターンの複雑さ、マルチファイバー構造など）をあつらえ、かつ／または細かに調整することができる。
［１．ノズルプレート］
【００７５】
ここで図１Ａ〜図１Ｂを参照すると、一実施形態に従って、ノズルプレート１００の断面側面図（図１Ａ）、およびノズルプレート１００の上面図が示されている。ノズルプレート１００、またはその構成要素／特徴は、本明細書で説明される他のデバイス／特徴／構成要素、たとえば、他の実施形態および図を参照しながら説明されるもの、との組み合わせで、またはこれらの代替物として、実施されてもよい。ノズルプレート１００は、本明細書で説明されるようなデバイス／構成要素／特徴を作製および／または使用するための方法のいずれにおいても、追加的に利用されてもよい。ノズルプレート１００はまた、様々な用途において、かつ／または並べ替えて使用されてもよく、これは、本明細書で説明される、例証的な実施形態において、述べられる場合も述べられない場合もある。たとえば、いくつかの実施形態において、ノズルプレート１００は、図１Ａ〜図１Ｂに示される特徴／構成要素より多くの、またはより少ない特徴／構成要素を含んでもよい。さらに、ノズルプレート１００は、図１Ａ〜図１Ｂに具体的に示されるサイズ、形状、構成要素の数などに、限定されない。
【００７６】
図１Ａ〜図１Ｂに示すように、ノズルプレート１００は、第２の表面１０４と対向する第１の表面１０２を含む。いくつかの実施形態において、第１の表面１０２および第２の表面１０４は、互いに実質的に平行に方向付けられる。いくつかの実施形態において、第１の表面１０２および／または第２の表面１０４は、１つまたは複数の湾曲した（たとえば、凸状または凹状の）領域を有してもよい。
【００７７】
図１Ａ〜図１Ｂの実施形態に示すように、ノズルプレート１００、および特にその外周１０６は、実質的に正方形の形状を有してもよい。しかしながら、いくつかの実施形態において、ノズルプレート１００は、任意の数の好適な形状を有してもよい。たとえば、図２Ａ〜図２Ｈに示すように、ノズルプレート１００は、矩形（図２Ａ）、三角形（図２Ｂ）、平行四辺形（図２Ｃ）、エシュロン（図２Ｄ）、六角形（図２Ｅ）、八角形（図２Ｆ）、円形（図２Ｇ）、正方形（図２Ｈ）、または不規則な形状（図示せず）から選択される形状を有してもよい。
【００７８】
いくつかの実施形態において、ノズルプレート１００は、実質的に矩形の形状を有してもよい。いくつかの実施形態において、ノズルプレート１００は、実質的に三角形の形状を有してもよい。いくつかの実施形態において、ノズルプレート１００は、実質的に平行四辺形の形状を有してもよい。いくつかの実施形態において、ノズルプレート１００は、実質的にエシュロンの形状を有してもよい。いくつかの実施形態において、ノズルプレート１００は、実質的に六角形の形状を有してもよい。いくつかの実施形態において、ノズルプレート１００は、実質的に八角形の形状を有してもよい。いくつかの実施形態において、ノズルプレート１００は、実質的に円形の形状を有してもよい。いくつかの実施形態において、ノズルプレート１００は、実質的に不規則な形状を有してもよい。ノズルプレート１００は、前述の形状に限定されないが、当業者には本開示を読むと明らかになるように、任意の好適な形状を有してもよいことが留意される。
【００７９】
引き続き図１Ａ〜図１Ｂを参照すると、ノズルプレート１００は、約１０ｃｍ以下、約５０ｃｍ以下、約１００ｃｍ以下、約１５０ｃｍ以下、約２００ｃｍ以下、約２５０ｃｍ以下、約３００ｃｍ以下、約３５０ｃｍ以下、約４００ｃｍ以下、約４５０ｃｍ以下、約５００ｃｍ以下、約５５０ｃｍ以下、約６００ｃｍ以下、約６５０ｃｍ以下、約７００ｃｍ以下、約７５０ｃｍ以下、約８００ｃｍ以下、約８５０ｃｍ以下、約９００ｃｍ以下、約９５０ｃｍ以下、約１０００ｃｍ以下、約１５００ｃｍ以下、約２０００ｃｍ以下などの、長さｌｐｌａｔｅおよび幅ｗｐｌａｔｅをそれぞれ独立して、有してもよい。
【００８０】
いくつかの実施形態において、ノズルプレート１００は、約２０ｃｍから約２００ｃｍまで、約３０から約１００ｃｍまで、または約４０から約８０ｃｍまでの範囲の、長さｌｐｌａｔｅおよび幅ｗｐｌａｔｅをそれぞれ独立して、有してもよい。いくつかの実施形態において、ノズルプレート１００の長さｌｐｌａｔｅおよび幅ｗｐｌａｔｅはそれぞれ独立して、以下のいずれか２つを含み、かつその間の範囲であってもよい：約１０ｃｍ、約２０ｃｍ、約４０ｃｍ、約６０ｃｍ、約８０ｃｍ、約１００ｃｍ、約１２０ｃｍ、約１４０ｃｍ、約１６０ｃｍ、約１８０ｃｍ、約２００μｍ、約２２０ｃｍ、約２４０ｃｍ、約２６０ｃｍ、約２８０ｃｍ、約３００ｃｍ、約３２０ｃｍ、約３４０ｃｍ、約３６０ｃｍ、約３８０ｃｍ、約４００ｃｍ、約４２０ｃｍ、約４４０ｃｍ、約４６０ｃｍ，約４８０ｃｍ、約５００ｃｍ、約５２０ｃｍ、約５４０ｃｍ、約５６０ｃｍ、約５８０ｃｍ、約６００ｃｍ、約６２０ｃｍ、約６４０ｃｍ、約６６０ｃｍ、約６８０ｃｍ、約７００ｃｍ、約７２０ｃｍ、約７４０ｃｍ、約７６０ｃｍ、約７８０ｃｍ、約８００ｃｍ、約８２０ｃｍ、約８４０ｃｍ、約８６０ｃｍ、約８８０ｃｍ、約９００ｃｍ、約９２０ｃｍ、約９４０ｃｍ、約９６０ｃｍ、約９８０ｃｍ、約１０００ｃｍ、約１１００ｃｍ、約１２００ｃｍ、約１３００ｃｍ、約１４００ｃｍ、約１５００ｃｍ、約１６００ｃｍ、約１７００ｃｍ、約１８００ｃｍ、約１９００ｃｍ、および約２０００ｃｍ。
【００８１】
図１Ａ〜図１Ｂの実施形態において、ノズルプレート１００は、実質的に正方形の形状を有し、したがって、その幅ｗｐｌａｔｅおよび長さｌｐｌａｔｅは、ほぼ等しくてもよい。しかしながら、本明細書で論じるように、ノズルプレート１００の形状は、正方形に限定されず、任意の数の好適な形状を取ってもよい。したがって、ノズルプレート１００の幅ｗｐｌａｔｅは、その長さｌｐｌａｔｅより大きい、それにほぼ等しい、またはそれより小さくてもよい。たとえば、ノズルプレート１００が、実質的に矩形の形状を有する例示的な実施形態において、ｌｐｌａｔｅがｗｐｌａｔｅにほぼ等しくないという条件であれば、ノズルプレート１００の長さｌｐｌａｔｅは、約２０ｃｍから約２００ｃｍまでの範囲のあたりであってもよく、その幅ｗｐｌａｔｅは、約２０ｃｍから約２００ｃｍまでの範囲のあたりであってもよい。
【００８２】
いくつかの実施形態において、ノズルプレート１００の最大寸法は、約２０ｃｍから約２００ｃｍまで、約３０から約１００ｃｍまで、または約３０ｃｍから約８０ｃｍまでの範囲であってもよい。いくつかの実施形態において、ノズルプレート１００の最大寸法は、以下のいずれか２つを含み、かつその間の範囲であってもよい：約１０ｃｍ、約２０ｃｍ、約４０ｃｍ、約６０ｃｍ、約８０ｃｍ、約１００ｃｍ、約１２０ｃｍ、約１４０ｃｍ、約１６０ｃｍ、約１８０ｃｍ、約２００μｍ、約２２０ｃｍ、約２４０ｃｍ、約２６０ｃｍ、約２８０ｃｍ、約３００ｃｍ、約３２０ｃｍ、約３４０ｃｍ、約３６０ｃｍ、約３８０ｃｍ、約４００ｃｍ、約４２０ｃｍ、約４４０ｃｍ、約４６０ｃｍ，約４８０ｃｍ、約５００ｃｍ、約５２０ｃｍ、約５４０ｃｍ、約５６０ｃｍ、約５８０ｃｍ、約６００ｃｍ、約６２０ｃｍ、約６４０ｃｍ、約６６０ｃｍ、約６８０ｃｍ、約７００ｃｍ、約７２０ｃｍ、約７４０ｃｍ、約７６０ｃｍ、約７８０ｃｍ、約８００ｃｍ、約８２０ｃｍ、約８４０ｃｍ、約８６０ｃｍ、約８８０ｃｍ、約９００ｃｍ、約９２０ｃｍ、約９４０ｃｍ、約９６０ｃｍ、約９８０ｃｍ、約１０００ｃｍ、約１１００ｃｍ、約１２００ｃｍ、約１３００ｃｍ、約１４００ｃｍ、約１５００ｃｍ、約１６００ｃｍ、約１７００ｃｍ、約１８００ｃｍ、約１９００ｃｍ、および約２０００ｃｍ。
【００８３】
いくつかの実施形態において、ノズルプレート１００は、約０．５ｃｍ以下、約１ｃｍ以下、約２ｃｍ以下、約４ｃｍ以下、約４ｃｍ以下、約６ｃｍ以下、約８ｃｍ以下、約１０ｃｍ以下などの、厚さｔｐｌａｔｅを有してもよい。
【００８４】
いくつかの実施形態において、ノズルプレート１００の厚さｔｐｌａｔｅは、約０．５ｃｍから約１０．０ｃｍまでの範囲であってもよい。いくつかの実施形態において、ノズルプレート１００の厚さｔｐｌａｔｅは、以下のいずれか２つを含み、かつその間の範囲であってもよい：約０．５ｃｍ、約１．０ｃｍ、約１．２ｃｍ、約１．４ｃｍ、約１．６ｃｍ、約１．８ｃｍ、約２．０ｃｍ、約２．２ｃｍ、約２．４ｃｍ、約２．６ｃｍ、約２．８ｃｍ、約３．０ｃｍ、約３．２ｃｍ、約３．４ｃｍ、約３．６ｃｍ、約３．８ｃｍ、約４．０ｃｍ、約４．２ｃｍ、約４．４ｃｍ、約４．６ｃｍ、約４．８ｃｍ、約５．０ｃｍ、約５．２ｃｍ、約５．４ｃｍ、約５．６ｃｍ、約５．８ｃｍ、約６．０ｃｍ、約６．２ｃｍ、約６．４ｃｍ、約６．６ｃｍ、約６．８ｃｍ、約７．０ｃｍ、約７．２ｃｍ、約７．４ｃｍ、約７．６ｃｍ、約７．８ｃｍ、約８．０ｃｍ、約８．２ｃｍ、約８．４ｃｍ、約８．６ｃｍ、約８．８ｃｍ、約９．０ｃｍ、約９．２ｃｍ、約９．４ｃｍ、約９．６ｃｍ、約９．８ｃｍ、および約１０．０ｃｍ。
【００８５】
いくつかの実施形態において、ノズルプレート１００は、金属材料、または非金属材料、またはそれらの組み合わせで構成されてもよい。いくつかの実施形態において、ノズルプレート１００は、鋼、高級鋼、ステンレス鋼、クロム−ニッケル鋼、またはニッケル鋼などの鉄合金、インコネル、焼結金属、アルミニウム、銅、スズ、チタン、タンタル、炭化ケイ素、ガラス、貴金属（たとえば、金、銀、または白金）、およびそれらの任意の組み合わせ（しかし、これらに限定されない）から選ばれる１つまたは複数の材料で構成されてもよい。いくつかの実施形態において、ノズルプレート１００は、セラミック、可塑性材料（たとえば、ポリエチレン、ポリプロピレン、ポリスチレンおよびポリ塩化ビニルおよびポリカーボネート、ポリテトラフルオロエチレン、ポリアミド類、ポリエステル類およびポリウレタン類、アクリロニトリル−ブタジエン−スチレン、ポリオキシメチレン、環状オレフィン共重合体、ポリ（メチルメタクリレート）など）、木材、ガラス、石、およびそれらの任意の組み合わせ（しかし、これらに限定されない）から選ばれる１つまたは複数の材料で構成されてもよい。いくつかの実施形態において、ノズルプレート１００は、当業者には本開示を読むと明らかになるような、他の好適な材料で構成されてもよい。
【００８６】
図１Ａ〜図１Ｂにさらに示すように、ノズルプレート１００は、第１の表面１０２および第２の表面１０４を通って延在する１つまたは複数の孔１０８を含む。いくつかの実施形態において、ノズルプレート１００は、複数の孔１０８を含む。いくつかの実施形態において、ノズルプレート１００は、少なくとも約２０個、少なくとも約２５個、少なくとも約３０個、少なくとも約３５個、少なくとも約４０個、少なくとも約４５個、少なくとも約５０個、少なくとも約５５個、少なくとも約６０個、少なくとも約６５個、少なくとも約７０個、少なくとも約７５個、少なくとも約８０個、少なくとも約８５個、少なくとも約９０個、少なくとも約９５個、少なくとも約１００個、少なくとも約１２０個、少なくとも約１４０個、少なくとも約１６０個、少なくとも約１８０個、少なくとも約２００個、少なくとも約２２０個、少なくとも約２４０個、少なくとも約２６０個、少なくとも約２８０個、少なくとも約３００個、少なくとも約３５０個、少なくとも約４００個、少なくとも約４５０個、少なくとも約５００個、少なくとも約５５０個、少なくとも約６００個、少なくとも約６５０個、少なくとも約７００個、少なくとも約７５０個、少なくとも約８００個、少なくとも約８５０個、少なくとも約９００個、少なくとも約９５０個、少なくとも約１０００個、少なくとも約１１００個、少なくとも約１２００個、少なくとも約１３００個、少なくとも約１４００個、少なくとも約１５００個、少なくとも約１６００個、少なくとも約１７００個、少なくとも約１８００個、少なくとも約１９００個、少なくとも約２０００個、少なくとも約２１００個、少なくとも約２２００個、少なくとも約２３００個、少なくとも約２４００個、少なくとも約２５００個、少なくとも約２６００個、少なくとも約２７００個、少なくとも約２８００個、少なくとも約２９００個、少なくとも約３０００個、少なくとも約３１００個、少なくとも約３２００個、少なくとも約３３００個、少なくとも約３４００個、少なくとも約３５００個、少なくとも約３６００個、少なくとも約３７００個、少なくとも約３８００個、少なくとも約３９００個、少なくとも約４０００個、少なくとも約４１００個、少なくとも約４２００個、少なくとも約４３００個、少なくとも約４４００個、少なくとも約４５００個、少なくとも約４６００個、少なくとも約４７００個、少なくとも約４８００個、少なくとも約４９００個、少なくとも約５０００個などの孔１０８を含む。
【００８７】
いくつかの実施形態において、ノズルプレート１００中の孔１０８の数は、約２０個から約５００個までの範囲であってもよい。いくつかの実施形態において、ノズルプレート１００中の孔１０８の数は、以下のいずれか２つを含み、かつその間の範囲であってもよい：約２０個、約４０個、約６０個、約８０個、約１００個、約１２０個、約１４０個、約１６０個、約１８０個、約２００個、約２２０個、約２４０個、約２６０個、約２８０個、約３００個、約３２０個、約３４０個、約３６０個、約３８０個、約４００個、約４２０個、約４４０個、約４６０個、約４８０個、約５００個、約５２０個、約５４０個、約５６０個、約５８０個、約６００個、約６２０個、約６４０個、約６６０個、約６８０個、約７００個、約７２０個、約７４０個、約７６０個、約７８０個、約８００個、約８２０個、約８４０個、約８６０個、約８８０個、約９００個、約９２０個、約９４０個、約９６０個、約９８０個、約１０００個、約１０５０個、約１１００個、約１１５０個、約１２００個、約１２５０個、約１３００個、約１３５０個、約１４００個、約１４５０個、約１５００個、約１５５０個、約１６００個、約１６５０個、約１７００個、約１７５０個、約１８００個、約１８５０個、約１９００個、約１９５０個、約２０００個、約２０５０個、約２１００個、約２１５０個、約２２００個、約２２５０個、約２３００個、約２３５０個、約２４００個、約２４５０個、約２５００個、約２５５０個、約２６００個、約２６５０個、約２７００個、約２７５０個、約２８００個、約２８５０個、約２９００個、約２９５０個、約３０００個、約３０５０個、約３１００個、約３１５０個、約３２００個、約３２５０個、約３３００個、約３３５０個、約３４００個、約３４５０個、約３５００個、約３５５０個、約３６００個、約３６５０個、約３７００個、約３７５０個、約３８００個、約３８５０個、約３９００個、約３９５０個、約４０００個、約４０５０個、約４１００個、約４１５０個、約４２００個、約４２５０個、約４３００個、約４３５０個、約４４００個、約４４５０個、約４５００個、約４５５０個、約４６００個、約４６５０個、約４７００個、約４７５０個、約４８００個、約４８５０個、約４９００個、約４９５０個、および約５０００個。
【００８８】
図１Ａ〜図１Ｂの実施形態に示すように、各孔１０８、および特にその外周は、実質的に円形の形状を有してもよい。しかしながら、いくつかの実施形態において、各孔１０８は、任意の数の好適な形状を、独立して有してもよい。たとえば、いくつかの実施形態において、各孔１０８は、図２Ａ〜図２Ｈに列挙されるもの、すなわち、矩形（図２Ａ）、三角形（図２Ｂ）、平行四辺形（図２Ｃ）、エシュロン（図２Ｄ）、六角形（図２Ｅ）、八角形（図２Ｆ）、円形（図２Ｇ）、正方形（図２Ｈ）、または不規則な形状から選択される形状を、独立して有してもよい。不規則な形状である孔１０８の非限定的な例を、図３Ａ〜図３Ｃに提供する。いくつかの実施形態において、孔のうち少なくとも１つの形状は、たとえば図３Ｃに示すように、所望の名称、記号、図／画像などを表してもよい。各孔１０８は、前述の形状に限定されないが、当業者には本開示を読むと明らかになるように、任意の好適な形状を有してもよいことが留意される。
【００８９】
いくつかの実施形態において、少なくとも１つの、複数の、または大多数の孔１０８は、実質的に矩形の形状を有してもよい。いくつかの実施形態において、少なくとも１つの、複数の、または大多数の孔１０８のそれぞれは、実質的に三角形の形状を有してもよい。いくつかの実施形態において、少なくとも１つの、複数の、または大多数の孔１０８は、実質的に平行四辺形の形状を有してもよい。いくつかの実施形態において、少なくとも１つの、複数の、または大多数の孔１０８は、実質的にエシュロンの形状を有してもよい。いくつかの実施形態において、少なくとも１つの、複数の、または大多数の孔１０８は、実質的に六角形の形状を有してもよい。いくつかの実施形態において、少なくとも１つの、複数の、または大多数の孔１０８は、実質的に八角形の形状を有してもよい。いくつかの実施形態において、少なくとも１つの、複数の、または大多数の孔１０８は、実質的に円形の形状を有してもよい。いくつかの実施形態において、少なくとも１つの、複数の、または大多数の孔１０８は、実質的に正方形の形状を有してもよい。いくつかの実施形態において、少なくとも１つの、複数の、または大多数の孔１０８は、実質的に不規則な形状を有してもよい。いくつかの実施形態において、少なくとも１つの、複数の、または大多数の孔１０８は、所望の名称、記号、または図／画像などを表す形状を有してもよい。
【００９０】
いくつかの実施形態において、各孔１０８は、実質的に矩形の形状を有してもよい。いくつかの実施形態において、各孔１０８は、実質的に三角形の形状を有してもよい。いくつかの実施形態において、各孔１０８は、実質的に平行四辺形の形状を有してもよい。いくつかの実施形態において、各孔１０８は、実質的にエシュロンの形状を有してもよい。いくつかの実施形態において、各孔１０８は、実質的に六角形の形状を有してもよい。いくつかの実施形態において、各孔１０８は、実質的に八角形の形状を有してもよい。いくつかの実施形態において、各孔１０８は、実質的に円形の形状を有してもよい。いくつかの実施形態において、各孔１０８は、実質的に正方形の形状を有してもよい。いくつかの実施形態において、各孔１０８は、実質的に不規則な形状を有してもよい。いくつかの実施形態において、各孔１０８は、所望の名称、記号、または図／画像などを表す形状を有してもよい。
【００９１】
いくつかの実施形態において、孔１０８のうち少なくとも２つは、互いに異なる形状を有してもよい。いくつかの実施形態において、複数の孔１０８は、互いに異なる形状を有してもよい。いくつかの実施形態において、孔１０８のそれぞれは、異なる形状を有してもよい。
【００９２】
いくつかの実施形態において、孔１０８のうちの１つまたは複数は、第１の表面１０２で、またはその近傍に、第１の断面形状を有してもよく、第２の表面１０４で、またはその近傍に、第２の断面形状を有してもよい。いくつかの実施形態において、この第１の断面形状は、第２の断面形状と異なってもよい。いくつかの実施形態において、第１の断面形状および第２の断面形状は、図２Ａ〜図２Ｈに列挙されるもの、すなわち、矩形（図２Ａ）、三角形（図２Ｂ）、平行四辺形（図２Ｃ）、エシュロン（図２Ｄ）、六角形（図２Ｅ）、八角形（図２Ｆ）、円形（図２Ｇ）、正方形（図２Ｈ）、または不規則な形状から選択される形状を、それぞれ独立して有してもよい。いくつかの実施形態において、孔１０８のそれぞれは、第１の表面１０２で、またはその近傍に、第１の断面形状を有してもよく、第２の表面１０４で、またはその近傍に、第２の断面形状を有してもよく、第１の断面形状および第２の断面形状は互いと異なる。
【００９３】
引き続き図１Ａ〜図１Ｂを参照すると、孔１０８は、所定のパターンに従って配置されてもよい。たとえば、図１Ａ〜図１Ｂに示す特定の実施形態において、孔１０８は、実質的に六角形のパターンに従って配置される。いくつかの実施形態において、たとえば、図４Ａ〜図４Ｈに示すように、孔１０８は、実質的に三角形のパターン（図４Ａ）、実質的に平行四辺形のパターン（図４Ｂ）、実質的にエシュロンのパターン（図４Ｃ）、実質的に六角形のパターン（図４Ｄ）、または実質的に正方形のパターン（図４Ｅ）に従って配置されてもよい。したがって、いくつかの実施形態において、孔１０８は、実質的に三角形のパターンに従って配置されてもよい。いくつかの実施形態において、孔１０８は、実質的に平行四辺形のパターンに従って配置されてもよい。いくつかの実施形態において、孔１０８は、実質的にエシュロンのパターンに従って配置されてもよい。いくつかの実施形態において、孔１０８は、実質的に六角形のパターンに従って配置されてもよい。いくつかの実施形態において、孔１０８は、実質的に正方形のパターンに従って配置されてもよい。
【００９４】
いくつかの実施形態において、孔１０８は、前述のパターンのうちのいずれかの組み合わせに従って配置されてもよい。そのような組み合わせは、八角形および矩形のパターンの組み合わせ（図４Ｆ）、エシュロンおよび三角形のパターンの組み合わせ（図４Ｇ）、ならびに六角形および平行四辺形のパターンの組み合わせ（図４Ｈ）を含んでもよいが、これらに限定されない。いくつかの実施形態において、孔１０８は、たとえば、図４Ｉに示すように、ランダムな、または不規則なパターンに従って配置されてもよい。
【００９５】
引き続き図１Ａ〜図１Ｂを参照すると、いくつかの実施形態において、隣接する孔１０８間の平均距離は、少なくとも約１μｍ、少なくとも約１０μｍ、少なくとも約５０μｍ、少なくとも約１００μｍ、少なくとも約１５０μｍ、少なくとも約２００μｍ、少なくとも約２５０μｍ、少なくとも約３００μｍ、少なくとも約３５０μｍ、少なくとも約４００μｍ、少なくとも約４５０μｍ、少なくとも約５００μｍ、少なくとも約５５０μｍ、少なくとも約６００μｍ、少なくとも約６５０μｍ、少なくとも約７００μｍ、少なくとも約７５０μｍ、少なくとも約８００μｍ、少なくとも約８５０μｍ、少なくとも約９００μｍ、少なくとも約９５０μｍ、少なくとも約０．１ｃｍ、少なくとも約０．５ｃｍ、少なくとも約１ｃｍ、少なくとも約５ｃｍ、少なくとも約１０ｃｍ、少なくとも約１５ｃｍ、少なくとも約２０ｃｍ、少なくとも約２５ｃｍ、少なくとも約３０ｃｍ、少なくとも約３５ｃｍ、少なくとも約４０ｃｍ、少なくとも約４５ｃｍ、少なくとも約５０ｃｍ、少なくとも約５５ｃｍ、少なくとも約６０ｃｍ、少なくとも約６５ｃｍ、少なくとも約７０ｃｍ、少なくとも約７５ｃｍ、少なくとも約８０ｃｍ、少なくとも約８５ｃｍ、少なくとも約９０ｃｍ、少なくとも約９５ｃｍ、少なくとも約１００ｃｍ、少なくとも約１５０ｃｍ、少なくとも約２００ｃｍ、少なくとも約２５０、少なくとも約３００ｃｍ、少なくとも約３５０、少なくとも約４００ｃｍ、少なくとも約４５０、少なくとも約５００ｃｍなどであってもよい。
【００９６】
いくつかの実施形態において、隣接する孔１０８間の平均距離は、約１ｃｍから約５０ｃｍまでの範囲であってもよい。いくつかの実施形態において、隣接する孔１０８間の平均距離は、以下のいずれか２つを含み、かつその間の範囲であってもよい：約０．１μｍ、約０．５μｍ、約２０μｍ、約４０μｍ、約６０μｍ、約８０μｍ、約１００μｍ、約１２０μｍ、約１４０μｍ、約１６０μｍ、約１８０μｍ、約２００μｍ、約２２０μｍ、約２４０μｍ、約２６０μｍ、約２８０μｍ、約３００μｍ、約３２０μｍ、約３４０μｍ、約３６０μｍ、約３８０μｍ、約４００μｍ、約４２０μｍ、約４４０μｍ、約４６０μｍ、約４８０μｍ、約５００μｍ、約５２０μｍ、約５４０μｍ、約５６０μｍ、約５８０μｍ、約６００μｍ、約６２０μｍ、約６４０μｍ、約６６０μｍ、約６８０μｍ、約７００μｍ、約７２０μｍ、約７４０μｍ、約７６０μｍ、約７８０μｍ、約８００μｍ、約９２０μｍ、約９４０μｍ、約９６０μｍ、約９８０μｍ、約０．１ｃｍ、約０．５ｃｍ、約１ｃｍ、約２ｃｍ、約４ｃｍ、約６ｃｍ、約８ｃｍ、約１０ｃｍ、約２０ｃｍ、約３０ｃｍ、約４０ｃｍ、約５０ｃｍ、約６０ｃｍ、約７０ｃｍ、約８０ｃｍ、約９０ｃｍ、約１００ｃｍ、約１２０ｃｍ、約１４０ｃｍ、約１６０ｃｍ、約１８０ｃｍ、約２００ｃｍ、約２２０ｃｍ、約２４０ｃｍ、約２６０ｃｍ、約２８０ｃｍ、約３００ｃｍ、約３２０ｃｍ、約３４０ｃｍ、約３６０ｃｍ、約３８０ｃｍ、約４００ｃｍ、約４２０ｃｍ、約４４０ｃｍ、約４６０ｃｍ、約４８０ｃｍ、および約５００ｃｍ。
【００９７】
いくつかの実施形態において、孔１０８間の距離は、孔１０８が正方形のパターンに従って配置される場合など、実質的に均一であってもよい。
【００９８】
いくつかの実施形態において、ある特定の孔間の距離は、均一でない場合がある。ある特定の孔１０８間の均一でない距離は、たとえば、孔１０８が矩形のパターン、平行四辺形のパターン、エシュロンのパターンなどに従って配置される場合、生じることがある。したがって、図４Ａ〜図４Ｈを再び参照し、ここで、孔の平均距離ｄ１、ｄ２、およびｄ３（存在する場合）は、それぞれ独立して、少なくとも約１μｍ、少なくとも約１０μｍ、少なくとも約５０μｍ、少なくとも約１００μｍ、少なくとも約１５０μｍ、少なくとも約２００μｍ、少なくとも約２５０μｍ、少なくとも約３００μｍ、少なくとも約３５０μｍ、少なくとも約４００μｍ、少なくとも約４５０μｍ、少なくとも約５００μｍ、少なくとも約５５０μｍ、少なくとも約６００μｍ、少なくとも約６５０μｍ、少なくとも約７００μｍ、少なくとも約７５０μｍ、少なくとも約８００μｍ、少なくとも約８５０μｍ、少なくとも約９００μｍ、少なくとも約９５０μｍ、少なくとも約０．１ｃｍ、少なくとも約０．５ｃｍ、少なくとも約１ｃｍ、少なくとも約５ｃｍ、少なくとも約１０ｃｍ、少なくとも約１５ｃｍ、少なくとも約２０ｃｍ、少なくとも約２５ｃｍ、少なくとも約３０ｃｍ、少なくとも約３５ｃｍ、少なくとも約４０ｃｍ、少なくとも約４５ｃｍ、少なくとも約５０ｃｍ、少なくとも約５５ｃｍ、少なくとも約６０ｃｍ、少なくとも約６５ｃｍ、少なくとも約７０ｃｍ、少なくとも約７５ｃｍ、少なくとも約８０ｃｍ、少なくとも約８５ｃｍ、少なくとも約９０ｃｍ、少なくとも約９５ｃｍ、少なくとも約１００ｃｍ、少なくとも約１５０ｃｍ、少なくとも約２００ｃｍ、少なくとも約２５０、少なくとも約３００ｃｍ、少なくとも約３５０、少なくとも約４００ｃｍ、少なくとも約４５０、少なくとも約５００ｃｍなどであってもよい。いくつかの実施形態において、孔の平均距離ｄ１、ｄ２、およびｄ３（存在する場合）は、それぞれ独立して、約１ｃｍから約５０ｃｍまでの範囲であってもよい。
【００９９】
いくつかの実施形態において、孔の平均距離ｄ１、ｄ２、およびｄ３（存在する場合）は、それぞれ独立して、約１ｃｍから約５０ｃｍまでの範囲であってもよい。いくつかの実施形態において、孔の平均距離ｄ１、ｄ２、およびｄ３（存在する場合）は、それぞれ独立して、以下のいずれか２つを含み、かつその間の範囲であってもよい：約０．１μｍ、約０．５μｍ、約２０μｍ、約４０μｍ、約６０μｍ、約８０μｍ、約１００μｍ、約１２０μｍ、約１４０μｍ、約１６０μｍ、約１８０μｍ、約２００μｍ、約２２０μｍ、約２４０μｍ、約２６０μｍ、約２８０μｍ、約３００μｍ、約３２０μｍ、約３４０μｍ、約３６０μｍ、約３８０μｍ、約４００μｍ、約４２０μｍ、約４４０μｍ、約４６０μｍ、約４８０μｍ、約５００μｍ、約５２０μｍ、約５４０μｍ、約５６０μｍ、約５８０μｍ、約６００μｍ、約６２０μｍ、約６４０μｍ、約６６０μｍ、約６８０μｍ、約７００μｍ、約７２０μｍ、約７４０μｍ、約７６０μｍ、約７８０μｍ、約８００μｍ、約９２０μｍ、約９４０μｍ、約９６０μｍ、約９８０μｍ、約０．１ｃｍ、約０．５ｃｍ、約１ｃｍ、約２ｃｍ、約４ｃｍ、約６ｃｍ、約８ｃｍ、約１０ｃｍ、約２０ｃｍ、約３０ｃｍ、約４０ｃｍ、約５０ｃｍ、約６０ｃｍ、約７０ｃｍ、約８０ｃｍ、約９０ｃｍ、約１００ｃｍ、約１２０ｃｍ、約１４０ｃｍ、約１６０ｃｍ、約１８０ｃｍ、約２００ｃｍ、約２２０ｃｍ、約２４０ｃｍ、約２６０ｃｍ、約２８０ｃｍ、約３００ｃｍ、約３２０ｃｍ、約３４０ｃｍ、約３６０ｃｍ、約３８０ｃｍ、約４００ｃｍ、約４２０ｃｍ、約４４０ｃｍ、約４６０ｃｍ、約４８０ｃｍ、および約５００ｃｍ。
【０１００】
いくつかの実施形態において、孔１０８は、（たとえば、図４Ｂに示すように）矩形のパターンに従って配置されてもよく、ｄ１がｄ２より小さい、またはその逆であるという条件であれば、孔の平均距離ｄ１またはｄ２はそれぞれ、約１μｍから約５００ｃｍまでの範囲である。
【０１０１】
引き続き図１Ａ〜図１Ｂを参照すると、各孔１０８は、第１のチャネル１１０を含む。本明細書で論じるように、いくつかの実施形態において、ノズルプレート１００を使用して繊維を押し出してもよい。そのような実施形態において、繊維へと形成される流体（たとえば、ポリマー溶液またはポリマーメルト）の容器は、ノズルプレート１００に、特にその第１の表面１０２に、動作可能に結合されてもよい。各孔１０８の第１のチャネル１１０は、そのような容器と流体連通していてもよく、上記流体を、第１のチャネル１１０を通って通過させることができてもよい。
【０１０２】
いくつかの実施形態において、各孔１０８の第１のチャネル１１０は、繊維を形成するように構成された直径を有してもよい。本明細書で開示されるように各孔１０８が独立して形状を有してもよいことを考慮すると、図１Ａ〜図１Ｂに示すように、各孔１０８の第１のチャネル１１０の直径は、チャネルの最大幅ｗｃｈ１に対応してもよい。いくつかの実施形態において、孔１０８の第１のチャネル１００はそれぞれ独立して、少なくとも約１０μｍ、少なくとも約５０μｍ、少なくとも約１００μｍ、少なくとも約１５０μｍ、少なくとも約２００μｍ、少なくとも約２５０μｍ、少なくとも約３００μｍ、少なくとも約３５０μｍ、少なくとも約４００μｍ、少なくとも約４５０μｍ、少なくとも約５００μｍ、少なくとも約５５０μｍ、少なくとも約６００μｍ、少なくとも約６５０μｍ、少なくとも約７００μｍ、少なくとも約７５０μｍ、少なくとも約８００μｍ、少なくとも約８５０μｍ、少なくとも約９００μｍ、少なくとも約９５０μｍ、少なくとも約０．１ｃｍ、少なくとも約０．５ｃｍ、少なくとも約１ｃｍ、少なくとも約１．５ｃｍ、少なくとも約２ｃｍ、少なくとも約２．５ｃｍなどである直径（または最大幅ｗｃｈ１）を有してもよい。
【０１０３】
いくつかの実施形態において、各孔１０８の第１のチャネル１１０の直径（または最大幅ｗｃｈ１）は、約３ｃｍ未満であってもよい。
【０１０４】
いくつかの実施形態において、孔１０８の第１のチャネル１００はそれぞれ独立して、約１０μｍから約３ｃｍまでの範囲である直径（または最大幅ｗｃｈ１）を有してもよい。いくつかの実施形態において、孔１０８の第１のチャネル１００はそれぞれ独立して、以下のいずれか２つを含み、かつその間の範囲である直径（または最大幅ｗｃｈ１）を有してもよい：約１０μｍ、約２０μｍ、約４０μｍ、約６０μｍ、約８０μｍ、約１００μｍ、約１２０μｍ、約１４０μｍ、約１６０μｍ、約１８０μｍ、約２００μｍ、約２２０μｍ、約２４０μｍ、約２６０μｍ、約２８０μｍ、約３００μｍ、約３２０μｍ、約３４０μｍ、約３６０μｍ、約３８０μｍ、約４００μｍ、約４２０μｍ、約４４０μｍ、約４６０μｍ、約４８０μｍ、約５００μｍ、約５２０μｍ、約５４０μｍ、約５６０μｍ、約５８０μｍ、約６００μｍ、約６２０μｍ、約６４０μｍ、約６６０μｍ、約６８０μｍ、約７００μｍ、約７２０μｍ、約７４０μｍ、約７６０μｍ、約７８０μｍ、約８００μｍ、約８２０μｍ、約８４０μｍ、約８６０μｍ、約８８０μｍ、約９００μｍ、約０．１ｃｍ、約０．２ｃｍ、約０．４ｃｍ、約０．８ｃｍ、約１ｃｍ、約１．２ｃｍ、約１．４ｃｍ、約１．６ｃｍ、約１．８ｃｍ、約２ｃｍ、約２．２ｃｍ、約２．４ｃｍ、約２．６ｃｍ、約２．８ｃｍ、および約３ｃｍ。
【０１０５】
いくつかの実施形態において、孔１０８のうちの１つまたは複数の第１のチャネル１１０の平均直径、最大幅、および／または平均幅は、その長さｌｃｈ１に沿って実質的に均一であってもよい。
【０１０６】
いくつかの実施形態において、孔１０８のうちの１つまたは複数の第１のチャネル１１０の平均直径、最大幅、および／または平均幅は、その長さｌｃｈ１に沿って実質的に均一でない場合がある。たとえば、いくつかの実施形態において、孔１０８のうちの１つまたは複数の第１のチャネル１１０の平均直径、最大幅、および／または平均幅は、第１の表面１０２から第２の表面１０４まで増大してもよい。いくつかの実施形態において、孔１０８のうちの１つまたは複数の第１のチャネル１１０の平均直径、最大幅、および／または平均幅は、第１の表面１０２から第２の表面１０４まで減少してもよい。
【０１０７】
図１Ａ〜図１Ｂの実施形態に示すように、孔１０８のうちの１つまたは複数の第１のチャネル１１０は、ノズルプレート１００の第１の表面１０２および／または第２の表面１０４に沿って延在する平面に対して、実質的に垂直に方向付けられてもよい。いくつかの実施形態において、孔１０８のうちの１つまたは複数の第１のチャネル１１０は、ノズルプレート１００の第１の表面１０２および／または第２の表面１０４に沿って延在する平面に対して、直角を形成しない場合があり、それによりそこから繊維が鋭角で押し出されることが可能になる。孔１０８のそれぞれの第１のチャネル１１０の相対角度をカスタマイズする能力により、形成される繊維の配向／配列の調整が容易になる場合がある。このようにして、いくつかの実施形態において、孔１０８のうちの１つまたは複数の第１のチャネル１１０は、ノズルプレート１００の第１の表面１０２および／または第２の表面１０４に沿って延在する平面に対して、約１０°から約９０°方向付けられてもよい。
【０１０８】
図１Ａ〜図１Ｂに示していないが、ノズルプレート１００の孔１０８のうちの１つまたは複数は、取り外し可能な構成要素（たとえば、以下に説明する、取り外し可能なコネクター、取り外し可能なノズル（たとえば、ニードルノズル）、または取り外し可能な閉鎖構造）を、それぞれの孔１０８に、安定的にかつ取り外し可能に結合するための連結システムを含んでもよい。この連結システムは、ノズルプレート１００を介した繊維の押し出しを可能にする、または阻止するように、特に構成されてもよい。
【０１０９】
いくつかの実施形態において、複数の孔１０８はそれぞれ、連結システムを含む。いくつかの実施形態において、孔１０８のうち少なくとも１つは、連結システムを含まない。いくつかの実施形態において、孔１０８のそれぞれは、連結システムを含む。
【０１１０】
図５Ａ〜図５Ｂに、例示的な一実施形態による、３構成要素連結システム５００を含む孔１０８の分解組立断面図を示す。連結システム５００は、それぞれの孔１０８の第１のチャネル１１０中に位置された第１の連結インターフェース５０２（「第１の構成要素」）を含む。いくつかの実施形態において、第１の連結インターフェース５０２は、孔１０８の第１のチャネル１１０で、主としてノズルプレート１００の第２の表面１０４近傍に位置されてもよい。いくつかの実施形態において、第１の連結インターフェース５０２は、それぞれの孔１０８の第１のチャネル１１０の全長に沿って延在してもよい。
【０１１１】
第１の連結インターフェース５０２は、取り外し可能なコネクター、取り外し可能なノズル（たとえば、ニードルノズル）、または取り外し可能な閉鎖構造などの取り外し可能な構成要素の別の連結インターフェースに結合するように構成されてもよい。したがって、いくつかの実施形態において、第１の連結インターフェース５０２は、雌もしくは雄のねじ式取付具、雌もしくは雄のアメリカ管用ねじ（ＮＰＴ）取付具、ルアーテーパー取付具、すり合わせ、雌もしくは雄の押し込み式コネクター、または当業者には本開示を読むと明らかになるような、任意の同様の取付具を含んでもよい。
【０１１２】
いくつかの実施形態において、第１の連結インターフェース５０２は、雌または雄のねじ式取付具を含んでもよい。いくつかの実施形態において、第１の連結インターフェース５０２は、雌または雄のアメリカ管用ねじ（ＮＰＴ）取付具を含んでもよい。いくつかの実施形態において、第１の連結インターフェース５０２は、ルアーテーパー取付具を含んでもよい。いくつかの実施形態において、第１の連結インターフェース５０２は、すり合わせを含んでもよい。いくつかの実施形態において、第１の連結インターフェース５０２は、雌または雄の押し込み式コネクターを含んでもよい。
【０１１３】
図５Ａ〜図５Ｂにさらに示すように、連結システム５００は、取り外し可能な中間コネクター５０４（「第２の構成要素」）を含む。コネクター５０４は、それぞれの孔１０８の第１の連結インターフェース５０２に、安定的にかつ取り外し可能に結合する第２の連結インターフェース５０６を含む。いくつかの実施形態において、第１の連結インターフェース５０２および第２の連結インターフェース５０６は、対応する雄または雌の取付具を含んでもよい。たとえば、一実施形態において、第１の連結インターフェース５０２は、雌のＮＰＴ取付具を含んでもよく、第２の連結インターフェース５０６は、対応する雄のＮＰＴ取付具を含んでもよい。したがって、いくつかの実施形態において、第２の連結インターフェース５０６は、対応する雄もしくは雌のねじ式取付具、対応する雄もしくは雌の管用ねじ（ＮＰＴ）取付具、ルアーテーパー取付具、すり合わせ、対応する雄もしくは雌の押し込み式コネクター、または当業者には本開示を読むと明らかになるような、任意の同様の取付具を含んでもよい。
【０１１４】
いくつかの実施形態において、第２の連結インターフェース５０６は、対応する雄または雌のねじ式取付具を含んでもよい。いくつかの実施形態において、第２の連結インターフェース５０６は、対応する雄または雌のアメリカ管用ねじ（ＮＰＴ）取付具を含んでもよい。いくつかの実施形態において、第２の連結インターフェース５０６は、ルアーテーパー取付具を含んでもよい。いくつかの実施形態において、第２の連結インターフェース５０６は、すり合わせを含んでもよい。いくつかの実施形態において、第２の連結インターフェース５０６は、対応する雄または雌の押し込み式コネクターを含んでもよい。
【０１１５】
図５Ａ〜図５Ｂに示すように、コネクター５０４は、第２の連結インターフェース５０６が位置される第１の領域５０８を含む。第１の領域５０８はまた、第２のチャネル５１０を含む。いくつかの実施形態において、第２のチャネル５１０は、孔１０８の第１のチャネル１１０と流体連通してもよい。したがって、ノズルプレート１００に、特にその第１の表面１０２に供給される流体（たとえば、繊維へと形成される流体）は、少なくとも第１のチャネル１１０および第２のチャネル５１０を通って流れることができてもよい。
【０１１６】
いくつかの実施形態において、コネクター５０４の第２のチャネル５１０は、それぞれの孔１０８の第１のチャネル１１０の直径（または最大幅ｗｃｈ１）より小さい直径（または最大幅ｗｃｈ２）を含んでもよい。いくつかの実施形態において、コネクター５０４の第２のチャネル５１０は、直径（または最大幅ｗｃｈ１）の約０．１％から約９９％である直径（または最大幅ｗｃｈ２）を含んでもよい。
【０１１７】
いくつかの実施形態において、コネクター５０４の第２のチャネル５１０は、繊維を形成するように構成された直径を有してもよい。
【０１１８】
いくつかの実施形態において、コネクター５０４の第２のチャネル５１０は、少なくとも約１０μｍ、少なくとも約５０μｍ、少なくとも約１００μｍ、少なくとも約１５０μｍ、少なくとも約２００μｍ、少なくとも約２５０μｍ、少なくとも約３００μｍ、少なくとも約３５０μｍ、少なくとも約４００μｍ、少なくとも約４５０μｍ、少なくとも約５００μｍ、少なくとも約５５０μｍ、少なくとも約６００μｍ、少なくとも約６５０μｍ、少なくとも約７００μｍ、少なくとも約７５０μｍ、少なくとも約８００μｍ、少なくとも約８５０μｍ、少なくとも約９００μｍ、少なくとも約９５０μｍ、少なくとも約０．１ｃｍ、少なくとも約０．５ｃｍ、少なくとも約１ｃｍ、少なくとも約１．５ｃｍ、少なくとも約２ｃｍなどであってもよい直径（または最大幅ｗｃｈ２）を有してもよい。
【０１１９】
いくつかの実施形態において、コネクター５０４の第２のチャネル５１０の直径（または最大幅ｗｃｈ２）は、約１０μｍから約２ｃｍの範囲であってもよい。いくつかの実施形態において、コネクター５０４の第２のチャネル５１０の直径（または最大幅ｗｃｈ２）は、約５０μｍから約１ｃｍの範囲であってもよい。いくつかの実施形態において、第２のチャネル５１０の直径（または最大幅ｗｃｈ２）は、以下のいずれか２つを含み、かつその間の範囲であってもよい：約１０μｍ、約２０μｍ、約４０μｍ、約６０μｍ、約８０μｍ、約１００μｍ、約１２０μｍ、約１４０μｍ、約１６０μｍ、約１８０μｍ、約２００μｍ、約２２０μｍ、約２４０μｍ、約２６０μｍ、約２８０μｍ、約３００μｍ、約３２０μｍ、約３４０μｍ、約３６０μｍ、約３８０μｍ、約４００μｍ、約４２０μｍ、約４４０μｍ、約４６０μｍ、約４８０μｍ、約５００μｍ、約５２０μｍ、約５４０μｍ、約５６０μｍ、約５８０μｍ、約６００μｍ、約６２０μｍ、約６４０μｍ、約６６０μｍ、約６８０μｍ、約７００μｍ、約７２０μｍ、約７４０μｍ、約７６０μｍ、約７８０μｍ、約８００μｍ、約８２０μｍ、約８４０μｍ、約８６０μｍ、約８８０μｍ、約９００μｍ、約０．１ｃｍ、約０．２ｃｍ、約０．４ｃｍ、約０．８ｃｍ、約１ｃｍ、約１．２ｃｍ、約１．４ｃｍ、約１．６ｃｍ、約１．８ｃｍ、および約２ｃｍ。
【０１２０】
いくつかの実施形態において、コネクター５０４の第１の領域５０８の形状は、コネクター５０４の第１の領域５０８を有効に孔１０８と結合させるために、それぞれの孔１０８の形状と実質的に同じである、かつ／またはそれを実質的に反映してもよい。
【０１２１】
いくつかの実施形態において、コネクター５０４の第１の領域５０８の少なくとも部分／一部は、ノズルプレート１００の第２の表面１０４を超えて所定の量、延在（たとえば、下方に突出）してもよい。たとえば、図５Ａ〜図５Ｂの実施形態に示すように、コネクター５０４の第１の領域５０８は、上面５０８ａおよび下面５０８ｂを含んでもよい。コネクター５０４の第１の領域５０８の下面５０８ｂは、ノズルプレート１００の第２の表面１０４より下に／低く、ある特定の距離ｄｒ、延在してもよい。コネクター５０４の第１の領域５０８の上面５０８ａは、ノズルプレート１００の第２の表面１０４より上に／高く、最大その第１の表面１０２まで、ある特定の距離、延在してもよい。
【０１２２】
図５Ａ〜図５Ｂにさらに示すように、コネクター５０４は、第１の領域５０８より下に位置付けられる第２の領域５１２を追加的に含む。第２の領域５１２は、ノズルプレート１００の第２の表面１０４より下に位置されてもよい。いくつかの実施形態において、第２の領域５１２の少なくとも一部はまた、コネクター５０４の第１の領域５０８から垂直にオフセットしていてもよく、ノズルプレート１００の第２の表面１０４に接触して、または極めて近接していてもよい。
【０１２３】
コネクター５０４の第２の領域５１２は、第３の連結インターフェース５１４および第３のチャネル５１６を含んでもよい。いくつかの実施形態において、第３の連結インターフェース５１４は、雌もしくは雄のねじ式取付具、雌もしくは雄のアメリカ管用ねじ（ＮＰＴ）取付具、ルアーテーパー取付具、すり合わせ、雌もしくは雄の押し込み式コネクター、または当業者には本開示を読むと明らかになるような、任意の同様の取付具を含んでもよい。
【０１２４】
いくつかの実施形態において、第３の連結インターフェース５１４は、雌または雄のねじ式取付具を含んでもよい。いくつかの実施形態において、第３の連結インターフェース５１４は、雌または雄のアメリカ管用ねじ（ＮＰＴ）取付具を含んでもよい。いくつかの実施形態において、第３の連結インターフェース５１４は、ルアーテーパー取付具を含んでもよい。いくつかの実施形態において、第３の連結インターフェース５１４は、すり合わせを含んでもよい。いくつかの実施形態において、第３の連結インターフェース５１４は、雌もしくは雄の押し込み式コネクターを含んでもよい。いくつかの実施形態において、コネクター５０４の第３の連結インターフェース５１４は、孔１０８の第１の連結インターフェース１１０と同じ種類の取付具／締結具を含んでもよい。
【０１２５】
いくつかの実施形態において、コネクター５０４の第３のチャネル５１６は、コネクター５０４の第２のチャネル５１０の直径（または最大幅ｗｃｈ２）より大きい直径（または最大幅ｗｃｈ３）を含んでもよい。いくつかの実施形態において、第３のチャネル５１６の直径（または最大幅ｗｃｈ３）は、それぞれの孔１０８の第１のチャネル１１０の直径（または最大幅ｗｃｈ１）とほぼ等しいか、またはより大きくてもよい。いくつかの実施形態において、第３のチャネル５１６の直径（または最大幅ｗｃｈ３）は、それぞれの孔１０８の第１のチャネル１１０の直径（または最大幅ｗｃｈ１）とほぼ等しくてもよい。いくつかの実施形態において、第３のチャネル５１６の直径（または最大幅ｗｃｈ３）は、それぞれの孔１０８の第１のチャネル１１０の直径（または最大幅ｗｃｈ１）より大きくてもよい。
【０１２６】
いくつかの実施形態において、コネクター５０４は、金属、金属合金、セラミック、可塑性物質、木材、ガラス、それらの任意の組み合わせなどで構成されてもよい。いくつかの実施形態において、コネクター５０４は、ノズルプレート１００と同じ材料で構成されてもよく、または１種または複数種の同じ材料を含む。
【０１２７】
連結システム５００は、押し出すように、または繊維の押し出しを阻止するように構成された、取り外し可能な第３の構成要素を追加的に含んでもよい。図５Ａの実施形態に示すように、第３の構成要素は、ノズル５１８であってもよい。ノズル５１８は、コネクター５０４の第３の連結インターフェース５１４に、安定的にかつ取り外し可能に結合する第４の連結インターフェース５２０を含んでもよい。いくつかの実施形態において、第３の連結インターフェース５１４および第４の連結インターフェース５２０は、対応する雄または雌の取付具を含んでもよい。たとえば、一実施形態において、第３の連結インターフェース５１４は、雌のＮＰＴ取付具を含んでもよく、第４の連結インターフェース５２０は、対応する雄のＮＰＴ取付具を含んでもよい。したがって、いくつかの実施形態において、第４の連結インターフェース５２０は、対応する雄もしくは雌のねじ式取付具、対応する雄もしくは雌の管用ねじ（ＮＰＴ）取付具、ルアーテーパー取付具、すり合わせ、対応する雄もしくは雌の押し込み式コネクター、または当業者には本開示を読むと明らかになるような、任意の同様の取付具を含んでもよい。
【０１２８】
いくつかの実施形態において、第４の連結インターフェース５２０は、対応する雄または雌のねじ式取付具を含んでもよい。いくつかの実施形態において、第４の連結インターフェース５２０は、対応する雄または雌のアメリカ管用ねじ（ＮＰＴ）取付具を含んでもよい。いくつかの実施形態において、第４の連結インターフェース５２０は、ルアーテーパー取付具を含んでもよい。いくつかの実施形態において、第４の連結インターフェース５２０は、すり合わせを含んでもよい。いくつかの実施形態において、第４の連結インターフェース５２０は、対応する雄または雌の押し込み式コネクターを含んでもよい。
【０１２９】
ノズル５１８はまた、第４のチャネル５２２を含んでもよい。いくつかの実施形態において、第４のチャネル５２２は、孔１０８の第１のチャネル１１０、およびコネクター５０４の第２のチャネル５１０と流体連通してもよい。したがって、ノズルプレート１００に、特にその第１の表面１０２に供給される流体（たとえば、繊維へと形成される流体）は、第１のチャネル１１０、第２のチャネル５１０、および第４のチャネル５２２を通って流れることができてもよい。
【０１３０】
いくつかの実施形態において、ノズル５１８の第４のチャネル５２２は、それぞれの孔１０８の第１のチャネル１１０の直径（または最大幅ｗｃｈ１）より小さい直径（または最大幅ｗｃｈ４）を含んでもよい。いくつかの実施形態において、ノズル５１８の第４のチャネル５２２は、それぞれの孔１０８の第１のチャネル１１０の直径（または最大幅ｗｃｈ１）の約０．１％から約９９％である直径（または最大幅ｗｃｈ４）を含んでもよい。
【０１３１】
いくつかの実施形態において、ノズル５１８の第４のチャネル５２２は、コネクター５０４の第２のチャネル５１０の直径（または最大幅ｗｃｈ２）より小さい、それにほぼ等しい、またはそれより大きい直径（または最大幅ｗｃｈ４）を有してもよい。いくつかの実施形態において、ノズル５１８の第４のチャネル５２２の直径（または最大幅ｗｃｈ４）は、コネクター５０４の第２のチャネル５１０の直径（または最大幅ｗｃｈ２）にほぼ等しくてもよい。いくつかの実施形態において、ノズル５１８の第４のチャネル５２２の直径（または最大幅ｗｃｈ４）、および／またはコネクター５０４の第２のチャネル５１０の直径（または最大幅ｗｃｈ２）は、約３ｃｍ未満であってもよい。
【０１３２】
いくつかの実施形態において、ノズル５１８の第４のチャネル５２２は、繊維を形成するように構成された直径を有してもよい。
【０１３３】
いくつかの実施形態において、ノズル５１８の第４のチャネル５２２は、少なくとも約１０μｍ、少なくとも約５０μｍ、少なくとも約１００μｍ、少なくとも約１５０μｍ、少なくとも約２００μｍ、少なくとも約２５０μｍ、少なくとも約３００μｍ、少なくとも約３５０μｍ、少なくとも約４００μｍ、少なくとも約４５０μｍ、少なくとも約５００μｍ、少なくとも約５５０μｍ、少なくとも約６００μｍ、少なくとも約６５０μｍ、少なくとも約７００μｍ、少なくとも約７５０μｍ、少なくとも約８００μｍ、少なくとも約８５０μｍ、少なくとも約９００μｍ、少なくとも約９５０μｍ、少なくとも約０．１ｃｍ、少なくとも約０．５ｃｍ、少なくとも約１ｃｍ、少なくとも約１．５ｃｍ、少なくとも約２ｃｍなどであってもよい直径（または最大幅ｗｃｈ４）を有してもよい。
【０１３４】
いくつかの実施形態において、ノズル５１８の第４のチャネル５２２の直径（または最大幅ｗｃｈ４）は、約１０μｍから約２ｃｍの範囲であってもよい。いくつかの実施形態において、ノズル５１８の第４のチャネル５２２の直径（または最大幅ｗｃｈ４）は、約５０μｍから約１ｃｍの範囲であってもよい。いくつかの実施形態において、第４のチャネル５２２の直径（または最大幅ｗｃｈ４）は、以下のいずれか２つを含み、かつその間の範囲であってもよい：約１０μｍ、約２０μｍ、約４０μｍ、約６０μｍ、約８０μｍ、約１００μｍ、約１２０μｍ、約１４０μｍ、約１６０μｍ、約１８０μｍ、約２００μｍ、約２２０μｍ、約２４０μｍ、約２６０μｍ、約２８０μｍ、約３００μｍ、約３２０μｍ、約３４０μｍ、約３６０μｍ、約３８０μｍ、約４００μｍ、約４２０μｍ、約４４０μｍ、約４６０μｍ、約４８０μｍ、約５００μｍ、約５２０μｍ、約５４０μｍ、約５６０μｍ、約５８０μｍ、約６００μｍ、約６２０μｍ、約６４０μｍ、約６６０μｍ、約６８０μｍ、約７００μｍ、約７２０μｍ、約７４０μｍ、約７６０μｍ、約７８０μｍ、約８００μｍ、約８２０μｍ、約８４０μｍ、約８６０μｍ、約８８０μｍ、約９００μｍ、約０．１ｃｍ、約０．２ｃｍ、約０．４ｃｍ、約０．８ｃｍ、約１ｃｍ、約１．２ｃｍ、約１．４ｃｍ、約１．６ｃｍ、約１．８ｃｍ、および約２ｃｍ。
【０１３５】
いくつかの実施形態において、ノズル５１８の第４のチャネル５２２の平均直径、最大幅、および／または平均幅は、その長さｌｃｈ４に沿って実質的に均一であってもよい（たとえば、図６Ａを参照されたい）。
【０１３６】
いくつかの実施形態において、ノズル５１８の第４のチャネル５２２の平均直径、最大幅、および／または平均幅は、その長さｌｃｈ４に沿って実質的に均一でない場合がある。たとえば、ノズル５１８は、流体を受け取るように構成された投入端５２４、および繊維を形成するために流体が押し出され／紡糸される排出端５２６を含んでもよい。いくつかの実施形態において、ノズル５１８の第４のチャネル５２２の平均直径、最大幅、および／または平均幅は、ノズル５１８の投入端５２４から排出端５２６まで増大してもよい（たとえば、図６Ｂ〜図６Ｃを参照されたい）。いくつかの実施形態において、ノズル５１８の第４のチャネル５２２の平均直径、最大幅、および／または平均幅は、ノズル５１８の投入端５２４から排出端５２６まで減少してもよい（たとえば、図６Ｄ〜図６Ｅを参照されたい）。
【０１３７】
いくつかの実施形態において、ノズル５１８の形状、および特にその第４のチャネル５２２は、本明細書で説明されるいずれかの好適な形状を有してもよい。いくつかの実施形態において、ノズル５１８の第４のチャネル５２２の形状は、図２Ａ〜図２Ｈに記載される形状、または不規則な形状であってもよい。
【０１３８】
いくつかの実施形態において、ノズル５１８は、金属、金属合金、セラミック、可塑性物質、木材、ガラス、それらの任意の組み合わせなどで構成されてもよい。いくつかの実施形態において、ノズル５１８は、ノズルプレート１００および／またはコネクター５０４と同じ材料で構成されてもよく、または同じ材料の１種または複数から構成されもよい。
【０１３９】
いくつかの実施形態において、ノズル５１８は、当技術分野で公知の紡糸技法（湿式紡糸法、乾式紡糸法、ゲル紡糸法、電界紡糸法など）を介して繊維を形成するように構成された任意の好適なノズル（たとえば、ニードルノズル、同軸ノズル、導電性ノズル、非導電性ノズルなど）であってもよい。
【０１４０】
いくつかの実施形態において、１より多いのノズル５１８は、コネクター５０４に、特にその第３の連結インターフェース５１４に、取り外し可能に結合されてもよい。
【０１４１】
図５Ｂは、連結システム５００の第３の取り外し可能な構成要素が閉鎖構造５２８である実施形態を示す。閉鎖構造５２８は、コネクター５０４の第３の連結インターフェース５１４に、安定的にかつ取り外し可能に結合する第５の連結インターフェース５３０を含んでもよい。いくつかの実施形態において、第３の連結インターフェース５１４および第５の連結インターフェース５３０は、対応する雄または雌の取付具を含んでもよい。たとえば、一実施形態において、第５の連結インターフェース５３０は、雌のＮＰＴ取付具を含んでもよく、第５の連結インターフェース５３０は、対応する雄のＮＰＴ取付具を含んでもよい。したがって、いくつかの実施形態において、第５の連結インターフェース５３０は、対応する雄もしくは雌のねじ式取付具、対応する雄もしくは雌の管用ねじ（ＮＰＴ）取付具、ルアーテーパー取付具、すり合わせ、対応する雄もしくは雌の押し込み式コネクター、または当業者には本開示を読むと明らかになるような、任意の同様の取付具を含んでもよい。
【０１４２】
いくつかの実施形態において、第５の連結インターフェース５３０は、対応する雄または雌のねじ式取付具を含んでもよい。いくつかの実施形態において、第５の連結インターフェース５３０は、対応する雄または雌のアメリカ管用ねじ（ＮＰＴ）取付具を含んでもよい。いくつかの実施形態において、第５の連結インターフェース５３０は、ルアーテーパー取付具を含んでもよい。いくつかの実施形態において、第５の連結インターフェース５３０は、すり合わせを含んでもよい。いくつかの実施形態において、第５の連結インターフェース５３０は、対応する雄または雌の押し込み式コネクターを含んでもよい。
【０１４３】
図５Ｂに示すように、閉鎖構造５２８は、いかなるチャネルも含まず、したがって、そこを通るいかなる流体の流れも阻止する。たとえば、流体（たとえば、繊維へと形成される流体）がノズルプレート１００に、特にその第１の表面１０２に供給される実施形態において、流体は、孔の少なくとも第１のチャネル１１０、およびコネクター５０４の少なくとも第２のチャネル５１０を通って流れてもよい。しかしながら、取り外し可能な閉鎖構造５２８がコネクター５０４に結合されている場合、流体は上記閉鎖構造を通って流れ、ノズルプレート１００を出ることができない。
【０１４４】
いくつかの実施形態において、閉鎖構造５２８は、栓、ヘッドねじ、または当業者には本開示を読むと明らかになるような、任意の好適な締結具であってもよい。
【０１４５】
いくつかの実施形態において、閉鎖構造５２８は、金属、金属合金、セラミック、可塑性物質、木材、ガラス、それらの任意の組み合わせなどで構成されてもよい。いくつかの実施形態において、閉鎖構造５２８は、ノズルプレート１００および／またはコネクター５０４および／またはノズル５１８と、同じ材料で構成されてもよく、または同じ材料の１種または複数構成されてもよい。
【０１４６】
連結システム５００が、コネクター５０４に取り外し可能に結合された少なくとも１つのノズル５１８を含む実施形態において、連結システムは、繊維の形成（押し出し／紡糸）が可能である「オン構成」にあるとみなされる。連結システム５００が、コネクター５０４に取り外し可能に結合された閉鎖構造５２８を含む実施形態において、連結システム５００は、繊維の形成（押し出し／紡糸）を阻止する「オフ構成」にあるとみなされる。そのような連結システム５００の一利点は、ノズル５１８および閉鎖構造５２８が、それぞれ取り外し可能であり、したがって、コネクター５０４に随意に取り付けられてもよいことを考慮すると、オンおよびオフ構成が選択可能であるということである。したがって、ノズルプレート１００の孔１０８のうち少なくともいくつかがそれぞれ、連結システム５００を含む実施形態において、連結システム５００はそれぞれ、「オン」構成または「オフ」構成であるように個別に／独立して選択されてもよく、それによって、得られる繊維パターンの特性および複雑さにおける制御の度合いを高めることができる。
【０１４７】
図７Ａ〜図７Ｂに、例示的な一実施形態による、２構成要素連結システム７００を含む孔１０８の分解組立断面図を示す。２構成要素連結システム７００は、図５Ａ〜図５Ｂの３構成要素連結システム５００の、中間にある取り外し可能なコネクター５０４を含まないが、その他は実質的に同じである。２構成要素連結システム７００は、３構成要素連結システム５００の変形であるため、同様の構成要素および特徴には、同じ参照番号が割り当てられる。
【０１４８】
図７Ａ〜図７Ｂに示すように、連結システム７００は、それぞれの孔１０８の第１のチャネル１１０中に位置された、本明細書で説明される第１の連結インターフェース５０２（「第１の構成要素」）を含む。連結システム７００が、本明細書で説明されるコネクター５０４を含まないことを考慮すると、第１の連結インターフェースは、本明細書で説明される取り外し可能なノズル５１８の対応する連結インターフェースに、または本明細書で説明される取り外し可能な閉鎖構造５２８の対応する連結インターフェースに、直接結合されてもよい。
【０１４９】
図７Ａは、ノズル５１８の第４の連結インターフェース５２０が、それぞれの孔１０８の第１の連結インターフェース５０２に、安定的にかつ取り外し可能に結合される実施形態を示す。したがって、図７Ａに表した連結システム７００は「オン」構成にあり、したがって、繊維形成が可能である。いくつかの実施形態において、ノズル５１８の第４のチャネル５２２の平均直径、最大幅、および／または平均幅は、その長さｌｃｈ４に沿って実質的に均一であってもよく（たとえば、図６Ａを参照されたい）、ノズル５１８の投入端５２４から排出端５２６まで増大してもよく（たとえば、図６Ｂ〜図６Ｃを参照されたい）、またはノズル５１８の投入端５２４から排出端５２６まで減少してもよい（たとえば、図６Ｄ〜図６Ｅを参照されたい）。さらに、ノズル５１８の形状、および特にその第４のチャネル５２２は、図２Ａ〜図２Ｈにおいて記載されるもの、または不規則な形状などの、本明細書で説明されるいずれかの好適な形状を有してもよい。
【０１５０】
図７Ｂは、本明細書で説明される閉鎖構造５２８の第５の連結インターフェース５３０が、それぞれの孔１０８の第１の連結インターフェース５０２に、安定的にかつ取り外し可能に結合される実施形態を示す。したがって、図７Ｂに表した連結システム７００は「オフ」構成にあり、したがって、繊維形成が不可能に／阻止される。
【０１５１】
図８Ａ〜図８Ｂに、例示的な一実施形態による、１構成要素連結システム８００を含む孔１０８の分解組立断面図を示す。連結システム８００に関して、特に図８Ａに示すように、孔１０８は、流体（たとえば、押し出し／紡糸溶液）に流路を提供する。いくつかの実施形態において、流路の形状は、図２Ａ〜図２Ｈにおいて記載されるもの、または不規則な形状などの、本明細書で説明されるいずれかの好適な形状を有してもよい。いくつかの実施形態において、流路の形状は、押し出される繊維の所望の形状に基づいて選択されてもよい。さらに、いくつかの実施形態において、流路の平均直径、最大幅、および／または平均幅は、その長さに沿って実質的に均一であっても、または非均一であってもよい。
【０１５２】
図８Ｂは、本明細書で説明される閉鎖構造５２８が、孔１０８に挿入され、孔１０８を有効にふさぎ、そこを通るいかなる流体の流れも阻止する実施形態を示す。
【０１５３】
再度図１Ａ〜図１Ｂを参照すると、ノズルプレート１００は、複数の孔１０８を含んでもよく、孔のそれぞれは、本明細書で説明される連結システム（たとえば、連結システム５００、７００、または８００）を独立して含んでもよい。いくつかの実施形態において、孔１０８のそれぞれは、同じ種類の連結システムを含んでもよい。いくつかの実施形態において、孔１０８のうち少なくとも２つは、互いに異なる連結システムを含んでもよい。
【０１５４】
先出の図から明らかであるように、ノズルプレート１００の一利点は、その構成要素のそれぞれのカスタマイズ性の度合いである。たとえば、孔１０８のパターン／配置だけでなく、ノズルプレート１００の形状およびサイズも、カスタマイズされてもよい。さらに、各孔１０８は、少なくとも形状、サイズ、および連結システムの種類（たとえば、連結システム５００、７００、または８００）に関して、個別に／独立してカスタマイズされてもよい。なおさらに、孔の連結システムは、繊維形成を可能にするための「オン」構成にあるように、または繊維形成を阻止するための「オフ」構成にあるように、それぞれ個別／独立して選択されてもよい。
【０１５５】
たとえば、いくつかの実施形態において、ノズルプレート１００は、複数の孔１０８を含んでもよく、ここで、
ｉ）孔１０８のうち少なくとも１つは、たとえば、図５Ａ〜図５Ｂにおいて説明される３構成要素連結システム５００を含み、孔１０８のうち少なくとも１つは、たとえば、図７Ａ〜図７Ｂにおいて説明される２構成要素連結システム７００を含むか、
ｉｉ）孔１０８のうち少なくとも１つは、３構成要素連結システム５００を含み、孔１０８のうち少なくとも１つは、たとえば、図８Ａ〜図８Ｂにおいて説明される１構成要素連結システム８００を含むか、
ｉｉｉ）孔１０８のうち少なくとも１つは、２構成要素連結システム７００を含み、孔１０８のうち少なくとも１つは、たとえば、図８Ａ〜図８Ｂにおいて説明される１構成要素連結システム８００を含むか、または
ｉｖ）孔１０８のうち少なくとも１つは、３構成要素連結システム５００を含み、孔１０８のうち少なくとも１つは、２構成要素連結システム７００を含み、孔１０８のうち少なくとも１つは、１構成要素連結システム８００を含む。連結システム（連結システム５００、７００、または８００いずれでも）は、それぞれ独立して、「オン」構成（たとえば、それに結合されるノズルを有する）にあっても、または「オフ」構成（たとえば、それに結合される閉鎖構造を有する）にあってもよいことが留意される。
【０１５６】
図９Ａは、ノズルプレート１００が、孔１０８が実質的に矩形のパターンに配置された、実質的に矩形の形状を含み、ここで、第１の複数の孔１０８はそれぞれ、たとえば、図５Ａ〜図５Ｂにおいて説明される３構成要素連結システム５００を含み、第２の複数の孔１０８はそれぞれ、たとえば、図７Ａ〜図７Ｂにおいて説明される２構成要素連結システム７００を含み、第３の複数の孔１０８はそれぞれ、たとえば、図８Ａ〜図８Ｂにおいて説明される１構成要素連結システム８００を含む、例証的な実施形態を示す。
【０１５７】
図９Ｂは、ノズルプレート１００が、孔１０８が実質的に矩形のパターンに配置された、実質的に矩形の形状を含み、上記孔１０８の連結システムのいくつかは「オン」構成にあり、いくつかは「オフ」構成にある、別の例証的な実施形態を示す。上記のように、連結システムは、「オン」構成であっても「オフ」構成であっても、それぞれ独立して、３構成要素連結システム５００、２構成要素連結システム７００、または１構成要素連結システム８００であってもよい。
【０１５８】
図９Ｃは、ノズルプレート１００が、孔１０８が実質的に三角形のパターンに配置された、実質的に三角形の形状を含み、上記孔１０８の連結システムのいくつかは「オン」構成にあり、いくつかは「オフ」構成にある、さらに別の例証的な実施形態を示す。ここでも、上記のように、連結システムは、「オン」構成であっても「オフ」構成であっても、それぞれ独立して、３構成要素連結システム５００、２構成要素連結システム７００、または１構成要素連結システム８００であってもよい。
【０１５９】
このような無比のカスタマイズの能力により、押し出された繊維の特性（たとえば、繊維径、繊維形状、得られる繊維パターンの複雑さなど）をあつらえる、かつ／または細かに調整することができる。
【０１６０】
さらなる実施形態において、ノズルプレート１００は、以下でさらに詳細に論じるように、１つまたは複数の追加のノズルプレート１００とともに使用するように構成されてもよい。
［２．スキャフォールド］
【０１６１】
ここで図１０Ａ〜図１０Ｂを参照すると、一実施形態に従って、スキャフォールド１０００の断面側面図（図１０Ａ）、およびスキャフォールド１０００の上面図（図１０Ｂ）が示されている。スキャフォールド１０００、またはその構成要素／特徴は、本明細書で説明される他のデバイス／特徴／構成要素、たとえば、他の実施形態および図を参照しながら説明されるもの、との組み合わせで、またはこれらの代替物として、実施される。スキャフォールド１０００は、本明細書で説明される、そのようなデバイス／構成要素／特徴を作製する、かつ／または使用する方法のいずれかにおいて追加的に利用されてもよい。スキャフォールド１０００はまた、様々な用途において、かつ／または置き換えにおいて使用されてもよく、これは、本明細書で説明される、例証的な実施形態において、述べられる場合も述べられない場合もある。たとえば、いくつかの実施形態において、スキャフォールド１０００は、図１０Ａ〜図１０Ｂに示される特徴／構成要素より多くの、またはより少ない特徴／構成要素を含んでもよい。さらに、スキャフォールド１０００は、図１０Ａ〜図１０Ｂに具体的に示されるサイズ、形状、構成要素の数などに、限定されない。
【０１６２】
スキャフォールド１０００は、先出の図において記載される特徴／構成要素を含んでもよく、したがって、同様の構成要素および特徴には、同じ参照番号が割り当てられることが留意される。
【０１６３】
図１０Ａ〜図１０Ｂに示すように、スキャフォールド１０００は、対向する第１の表面１００２および第２の表面１００４を含む。いくつかの実施形態において、第１の表面１００２および第２の表面１００４は、互いに実質的に平行に方向付けられる。いくつかの実施形態において、第１の表面１００２および／または第２の表面１００４は、１つまたは複数の湾曲した（たとえば、凸状または凹状の）領域を有してもよい。
【０１６４】
図１０Ａ〜図１０Ｂの実施形態に示すように、スキャフォールド１０００、および特にその外周１００６は、実質的に矩形の形状を有してもよい。しかしながら、いくつかの実施形態において、スキャフォールド１０００は、図２Ａ〜図２Ｈに記載される形状、または不規則な形状（図示せず）を有してもよい。
【０１６５】
図１０Ａ〜図１０Ｂにさらに示すように、スキャフォールド１００は、本明細書に記載され、第１の表面１００４および第２の表面１００６を通って延在する１つまたは複数の孔１０８を含む。いくつかの実施形態において、スキャフォールド１０００の孔１０８のそれぞれは、本明細書に記載される連結システムを独立して含む。
【０１６６】
いくつかの実施形態において、スキャフォールド１０００の孔１０８のうち少なくとも１つは、本明細書に記載される「オン」構成にある連結システムを有してもよい。いくつかの実施形態において、スキャフォールド１０００の複数の孔１０８は、本明細書に記載される「オン」構成にある連結システムを有してもよい。いくつかの実施形態において、スキャフォールド１０００の孔１０８のそれぞれは、本明細書に記載される「オン」構成にある連結システムを有してもよい。
【０１６７】
いくつかの実施形態において、スキャフォールド１０００の孔１０８のうち少なくとも１つは、本明細書に記載される「オフ」構成にある連結システムを有してもよい。いくつかの実施形態において、スキャフォールド１０００の複数の孔１０８は、本明細書に記載される「オフ」構成にある連結システムを有してもよい。いくつかの実施形態において、スキャフォールド１０００の孔１０８のそれぞれは、本明細書に記載される「オフ」構成にある連結システムを有してもよい。
【０１６８】
いくつかの実施形態において、スキャフォールド１０００の孔１０８のうち少なくとも１つは、本明細書に記載される「オン」構成にある連結システムを有してもよく、孔１０８のうち少なくとも１つは、「オフ」構成にある連結システムを有してもよい。いくつかの実施形態において、スキャフォールド１０００の第１の複数の孔１０８は、本明細書に記載される「オン」構成にある連結システムを有してもよく、第２の複数の孔１０８は、「オフ」構成にある連結システムを有してもよい。
【０１６９】
図１０Ａ〜図１０Ｂに追加的に示すように、スキャフォールド１０００は、１つまたは複数のセクション１００８ａ〜１００８ｄを含んでもよい。図１０Ａ〜図１０Ｂにはセクションを４つのみ示しているが、望みに応じて、スキャフォールドは、より多くのセクションまたはより少ないセクションを含んでもよいことが留意される。
【０１７０】
図１０Ａ〜図１０Ｂの実施形態において、セクション１００８ａ〜１００８ｄのそれぞれは、孔１０８のうち少なくとも１つを含んでもよい。しかしながら、他の実施形態において、スキャフォールド１０００は、孔１０８を有さない、１つまたは複数のセクションを含んでもよい。
【０１７１】
孔１０８を含むスキャフォールド１０００の各セクション（たとえば、セクション１００８ａ〜１００８ｄ）に関して、それにおける孔１０８は、所定のパターンに従って配置されてもよい。たとえば、図１０Ａ〜図１０Ｂに示すように、各セクション１００８ａ〜１００８ｄの孔１０８は、矩形のパターンに従って配置されてもよい。いくつかの実施形態において、スキャフォールド１００の各セクションは、図４Ａ〜図４Ｈに記載される孔１０８のパターン、図４Ａ〜図４Ｈに記載される１つまたは複数のパターンの組み合わせ、またはランダムなもしくは不規則なパターン（たとえば、４Ｌを参照されたい）を、独立して有してもよい。
【０１７２】
いくつかの実施形態において、スキャフォールド１０００の孔を含むセクション（たとえば、セクション１００８ａ〜１００８ｄ）のそれぞれは、互いに実質的に同じパターンを含んでもよい。いくつかの実施形態において、スキャフォールド１００の孔を含むセクションのうち少なくとも２つは、互いに異なるパターンを含んでもよい。いくつかの実施形態において、スキャフォールド１０００の孔を含むセクションのそれぞれは、互いに同じパターンを含んでもよい。いくつかの実施形態において、スキャフォールド１００のセクションのうち少なくとも１つは、ランダムなパターンに従って配置された孔を含んでもよい。
【０１７３】
いくつかの実施形態において、各孔を含むセクションにおける孔１０８の数は、独立して変動してもよい。いくつかの実施形態において、各孔を含むセクションは、同じ数の孔を含んでもよい。いくつかの実施形態において、少なくとも２つの孔を含むセクションは、異なる数の孔を含んでもよい。いくつかの実施形態において、孔を含むセクションのそれぞれは、異なる数の孔を含んでもよい。
【０１７４】
いくつかの実施形態において、スキャフォールド１０００の各セクションは、たとえば、図１０Ａ〜図１０Ｂに示すように、実質的に矩形の形状を有してもよい。しかしながら、いくつかの実施形態において、スキャフォールド１０００の各セクションは、図２Ａ〜図２Ｈに記載される形状、または不規則な形状（図示せず）を独立して有してもよい。
【０１７５】
いくつかの実施形態において、スキャフォールド１０００の各セクションは、実質的に同じ形状を有してもよい。いくつかの実施形態において、スキャフォールド１０００のセクションのうち少なくとも２つは、互いに異なる形状を含んでもよい。いくつかの実施形態において、スキャフォールド１０００の各セクションは、互いに異なる形状を有してもよい。
【０１７６】
スキャフォールド１０００が異なる形状のセクションを含む例示的な実施形態が、図１１Ａ〜図１１Ｄに示される。たとえば、図１１Ａは、スキャフォールド１０００が、実質的に八角形の形状を有するセクション１１０２と、正方形の形状を有するセクション１１０４とを含む実施形態を示す。図１１Ｂは、スキャフォールド１０００が、実質的にエシュロンの形状を有するセクション１１０６と、三角形の形状を有するセクション１１０８とを含む実施形態を示す。図１１Ｃは、スキャフォールド１０００が、実質的に六角形の形状を有するセクション１１１０と、平行四辺形の形状を有するセクション１１１２とを含む実施形態を示す。図１１Ｄは、セクション１１１０、セクション１１１２のそれぞれが、それにおける孔１０８のランダムなパターンを含む、図１１Ｃの実施形態の変形をさらに示す。
【０１７７】
いくつかの実施形態において、スキャフォールド１０００の１つまたは複数のセクションは、本明細書に記載される、独立したノズルプレートである。いくつかの実施形態において、スキャフォールド１０００のセクションのそれぞれは、本明細書に記載される、独立したノズルプレートである。
【０１７８】
スキャフォールド１０００の１つまたは複数のセクションが、本明細書に記載される、独立したノズルプレートである実施形態において、ノズルプレートは、プレートの交換を容易にするために脱着可能な締結具（たとえば、締め金など）によって、スキャフォールド１０００および／または隣接するノズルプレートに結合されてもよい。しかしながら、いくつかの実施形態において、ノズルプレートは、スキャフォールド１０００および／または隣接するノズルプレートに永久的に結合されて（たとえば、溶接されて、接着されてなど）もよい。
［３．バイチャネルノズルおよびノズルプレート］
【０１７９】
２つのチャネルを含み、本明細書においてバイチャネルノズルと呼ばれる、新たなノズルも提供される。そのようなバイチャネルノズルを使用して、電界紡糸によって繊維を形成するための流体（たとえば、ポリマー溶液またはポリマーメルト）の２つの供給源を供給することができる。そのように形成される繊維は、２つの成分を含む。いくつかの実施形態において、２種の流体は、異なるポリマーまたは異なる親水性を有するなど、異なる。
【０１８０】
いくつかの実施形態において、繊維の１つの成分が他の成分によって囲まれるように、１つのチャネルは、他のチャネルによって囲まれている。そのような二成分繊維は、幅広く産業で利用される。内側チャネルは、「コアチャネル」と呼ばれ、外側チャネルは、「シェルチャネル」と呼ばれる。同様に、繊維の内側成分は、「コア成分」と呼ばれ、外側成分は、「シェル成分」と呼ばれ、コアチャネルを通り抜けるポリマーは、「コアポリマー」と呼ばれ、シェルチャネルを通り抜けるポリマーは、「シェルポリマー」と呼ばれる。
【０１８１】
単純なバイチャネルノズル１２００が図１２Ａに例示されており、単純なバイチャネルノズルは、コアチャネルプレート（カバー）１２０３によってシェルチャネル１２１３から離隔されるコアチャネル１２１５を含み、シェルチャネルは、シェルプレート（カバー）１２０１によって囲まれている。コアチャネルは、チューブ１２０７を介して、コアポリマーを供給するコアポリマー槽１２０５に接続されている。同様に、シェルチャネルは、チューブ１２１１を介して、シェルポリマー槽１２０９に接続されている。使用の際は、コアポリマーおよびシェルポリマーは、シェルポリマーがコアポリマーを取り囲む仕方で、チャネルから流れ出て、両方を含む二成分繊維を形成する。
【０１８２】
いくつかの実施形態において、図１２Ｂにおける１２２０として例示するように、バイチャネルノズルの高スループットの配置を用意することができる。複数のバイチャネルノズル１２２５は、シェルプレート１２２７を形成するジョイントシェルチャネルカバーを介して互いに接続されており、シェルプレートは、ノズルのシェルチャネルとシェルポリマー槽１２２３との間の流体連通を可能にする空洞の空間を有する。コアポリマー容器１２２９は、シェルプレート１２２７の上方に（かつ、図１２Ｂに示すように内側に）配されており、コアポリマー流体をコアポリマー槽１２２１から受け取り、ノズル１２２５のコアチャネルにそれを供給する。
【０１８３】
いくつかの実施形態において、図１２Ｃにおいて例示するように、バイチャネルノズルの配置は、２次元にすることができる。この図におけるシステム１２４０は、バイチャネルノズルが４つの行および７つの列で配されている、シェルプレート１２４７を含む。各ノズルは、コアチャネル１２５１およびシェルチャネル１２４９を有し、（シェルプレート１２４７を介して）シェルポリマー槽１２４５と、（コアポリマー容器１２４３を介して）コアポリマー槽１２４１と流体連通を有する。
【０１８４】
向上したバージョンの２次元システム１２６０を図１２Ｄに例示する。１２４０においてと同様に、このシステムは、シェルポリマー槽１２４５、コアポリマー槽１２４１、コアポリマー容器１２４３、および複数のバイチャネルノズル１２５１を含む。しかしながら１２４０と異なって、システム１２６０は、シェルポリマー槽１２４５に接続するチューブ１２４９によって接続された、複数の平行チューブ１２４７を含む。これらのチューブは、シェルポリマー槽１２４５とノズルのそれぞれのシェルチャネルとの間の流体連通を生じるように配置される。
【０１８５】
図１２Ａを再度参照すると、バイチャネルノズル１２００は、１ピース型または２ピース型であり得る。２ピースノズルでは、各ピースを取り換えて、それを洗浄することもできるため、２ピース設計は１ピース設計に対して利点を有する。しかしながら、２ピース設計に関して、「コア」ピースを「シェル」に挿入することは、どちらもかなり細い場合があるため、困難である場合がある。図１２Ｃにおいて例示されるように両方のピースがプレートに付着されている場合、少なくとも、１つのユニット内のいかなる整列の不整によってもシステムの組み立てが妨げられるおそれがあるため、この困難はより大きくなる。この点において、図１２Ｄにおける設計は、各細片部（１２４７）の離隔によって、少なくとも、それらを個別に調節することができ、より良好な整列を可能にするため、図１２Ｃにおける設計より優れている。
【０１８６】
別の例のバイチャネルノズルを図１３に例示する。ノズル１３００は、コアユニットおよびシェルユニットを含む。コアユニットは、コアポリマー容器１３０３と接続されたコアチャネル１３１７を含み、それぞれは、コアポリマー容器カバー１３０１およびコアチャネルカバー１３１９によって形成されている。コアユニットは、シェルポリマーカバー１３０５をさらに含み、シェルポリマーカバーは、コアチャネルカバー１３１９およびコアポリマー容器カバー１３０１と一緒に、シェルポリマー容器１３２１を形成する。コアポリマー容器カバー１３０１は、１つまたは複数のねじ１３１３および関連するガスケット１３０９でシェルポリマーカバー１３０５に接続され得る。さらにコアユニットの部分には、シェルポリマーカバー１３０５の下に配された１つまたは複数の磁気プレート１３１１がある。これらの磁気プレートは、磁力または（図に示すように）ねじによって、コアユニットに取り付けることができる。
【０１８７】
シェルユニットは、コアチャネルカバー１３１９を通過させ、シェルカバー１３１５の間にシェルチャネル１３０７を形成する内側空間を有する。シェルカバー１３１５の上部１３２３は、コアユニットの磁気プレート１３１１にシェルユニットを取り付けることができる材料を含むことができる。そのような取付機構は、同時にシェルチャネルを封止し、各シェルユニットが（シェルポリマー槽に直接接続されることなく）個別にコアユニットと整列し、組み付けられることを可能にする。したがって、図１２Ｃおよび図１２Ｄにおいてと同様の高スループットのシステムにおいて、不整列の問題なしに、各シェルユニットをシステムに個別に組み付けることができる。
【０１８８】
さらに別の例のバイチャネルノズル１４００が図１４Ａに例示され、当該バイチャネルノズルもコアユニットおよびシェルユニットを含む。コア部分は、コアポリマー容器１４０３に接続されたコアチャネル１４０７を含み、コアポリマー容器カバー１４０１およびコアチャネルカバー１４０５によって取り囲まれている。シェルユニットは、コアチャネルカバー１４０５を、貫通するように摺動可能に収容する上部１４１９を有するシェルチャネルカバー１４１１を含む。そして、シェルチャネル１４０９は、シェルチャネルカバー１４１１とコアチャネルカバー１４０５との間に形成される。シェルチャネルカバーの上部１４１９の上に、取付プレート１４１７を含むことができ、取付プレートは可撓性材料でできている。可撓性材料の非限定的な例としては、スタイロフォーム（Ｓｔｙｒｏｆｏａｍ）（商標）独立気泡押出法ポリスチレンフォーム（ＸＰＳ）、ゴム（天然または合成）、およびコルクが挙げられる。取付プレート１４１７は、１４１９に取り付けられており、シェルユニットのコアユニットへの固定を容易にすることができる。
【０１８９】
シェルユニットにさらに含まれるのは、チャネル１４１５を有し、シェルチャネル１４０９をシェルポリマー槽に接続することができるチューブ１４１３である。図１４Ｂにおいて例示するように、そのような設計はまた、各シェルユニットが高スループットのシステムに個別に組み付けられることを可能にする。高スループットのシステム１４２０は、コアポリマー槽１４３１、シェルポリマー槽１４３３、コアポリマー容器１４３５、複数のコアユニット１４４１、複数のシェルユニット１４３９、およびすべてのシェルユニットに接続するチューブ１４４３を含む。各シェルユニット１４３９は、可撓性の取付プレート１４３７によって、対応するコアユニット１４４１に確実に取り付けられている。見たところでは、シェルユニットが、好ましくは可撓性であるチューブ１４４３によって一緒に接続されている場合でも、接続するチューブは、各シェルユニットがコアユニットに嵌合するように必要に応じて調節されるための空間を与えるのに十分な融通性をもたらす。
【０１９０】
図１５も、高スループットのシステムにおける不整列の問題を解決するノズル組み立て体を例示する。ノズル組み立て体１５００は、ノズルプレート（スキャフォールド）１５２０上に配される１つまたは複数のノズル１５１０を含む。ノズル１５１０は、２つのピースであるシェルユニット１５３０およびコアユニット１５４０で構成される。シェルユニット１５３０は、シェル基部１５０３の下端に配された（ニードル形状の）シェルチャネルカバー１５０１を含む。
【０１９１】
コアユニット１５４０は、コアチャネルカバー１５０５によって少なくとも部分的に形成されたコアチャネルを含み、コアユニットの（先端部１５３５で示された）反対端まで任意選択で延在する。コアチャネルを底部から上部まで取り囲むのは、上部コネクター１５０７、締結具１５０９、第１のガスケット１５１１、シェルチャネルカバー１５１３、第２のガスケット１５２９、およびスペーサ１５３３である。シェルチャネル１５４１（点線で示される）は、コアチャネルカバー１５０５とシェルチャネルカバー１５１３との間に形成される。同様に、シェルチャネル１５４１は、シェルユニットがコアユニットに組み付けられる場合、コアチャネルカバー１５０５とシェルチャネルカバー１５０１および１５０３の間に、シェルユニット１５３０において形成される。
【０１９２】
上部コネクター１５０７は、シェル基部１５０３に、確実に接続されるように構成される。たとえは、上部コネクター１５０７の外面は、上部コネクターにシェル基部を回して留めることができるように、シェル基部１５０３の内面上の溝と合致する溝を有することができる。代替的には、上部コネクター１５０７の内面は、上部コネクターの内側にシェル基部を回して留めることができるように、シェル基部１５０３の外面上の溝と合致する溝を有することができる。さらに、別の非限定的な例において、上部コネクター１５０７およびシェル基部１５０３を、磁力または追加の係止機構によって、互いに取り付けることができる。同様に、シェルチャネルカバー１５１３は、それがノズルプレート１５２０に確実に挿入される／回して留められることを可能にする溝を外面上に有し得る。他方で、締結具１５０９および第１のガスケット１５１１は、コアユニットを保持し、それをノズルプレートに確実に挿入できるようにする。代替的には、コアユニットのノズルプレート１５２０への確実な挿入は、コアポリマー容器１５２７と流体連通するスペーサ１５３３の外面上のねじ溝により達成することができる。
【０１９３】
ノズルプレート１５２０は、コアポリマーおよびシェルポリマーをそれぞれの槽（図示せず）から受け取るように構成された、コアポリマー容器１５２７およびシェルポリマー容器１５２３を含む。２つの容器を隔離する、３つの中実のプレート１５２１および２つのガスケット１５２５が図に示される。これらの中実のプレートは、シェルチャネルカバー１５１３およびスペーサ１５３３のいずれか、またはその両方が、ノズルプレートに（回し留めることなどによって）確実に取り付けられるように、さらに構成される。固定されると、スペーサ１５３３内側のコアチャネルは、コアポリマー容器と流体接続し、一方でスペーサは、コアポリマー容器上の開口部を封止して漏出を阻止する。この文脈において、スペーサ１５３３は、コアポリマー容器１５２７と、コアチャネルカバー１５０５内側のコアチャネルとの間の流体連通を可能にしつつ、コアポリマー容器１５２７とシェルチャネル１５４１との間の流体連通をふさぐための手段とみなすことができる。
【０１９４】
したがって、スペーサ１５３３、コアチャネル開口部１５３５、およびコアポリマー容器１５２７の構成を必要に応じて調節することができることが、容易に理解され得る。一実施形態において、スペーサ１５３３もコアチャネル開口部１５３５も、コアポリマー容器１５２７へと延在せず、コアポリマーは、スペーサ１５３３内の空洞空間を介して、コアチャネル開口部１５３５に入る。別の実施形態において、コアポリマー容器１５２７へと、スペーサ１５３３は延在するが、コアチャネル開口部１５３５は延在せず、コアポリマーは、スペーサ１５３３内の空洞空間を介して、コアチャネル開口部１５３５に入る。別の実施形態において、コアチャネル開口部１５３５は、スペーサ１５３３を超えてコアポリマー容器１５２７へと延在し、したがって、コアポリマーはコアチャネル開口部１５３５に直接入る。
【０１９５】
固定されると、シェルチャネルカバー１５１３は、シェルポリマー容器１５２３内でシェルポリマーにさらされる外面領域を有する。シェルチャネルカバー１５１３上の、１つまたは複数の開口部（たとえば、穿孔１５３１）により、シェルポリマー容器１５２３からのシェルポリマーが、シェルチャネルカバー１５１３内側（コアチャネルカバー外側）のシェルチャネル（点線１５４１で示される）に入ることを可能にすることができる。
【０１９６】
したがって、シェルユニット１５３０が、ノズルプレート１５２０に固定されたコアユニット１５４０に固定されている場合、コアポリマー容器１５２７内のコアポリマーは、スペーサ１５３３の内側空間および／またはコアチャネル開口部１５３５を通って、コアチャネルに流れ込むことができ、ここでシェルチャネルカバー１５０１の内側にある、コアチャネルカバー１５０５の上端部で吐出される。同時に、シェルポリマーは、穿孔１５３１を通って、シェルチャネルに流れ込むことができ、シェルチャネルカバー１５０１の上部から吐出され、コアチャネルカバー１５０５内側から吐出されるコアポリマーを取り囲み、二成分ポリマー糸を形成する。
【０１９７】
ノズルプレートは、図１５に示すように、バイチャネルノズルの挿入を受け入れるための複数のスロットを含むことができる。各バイチャネルノズルは、個別に組み立てられ（シェルユニットおよびコアユニットを接続して）、組み込まれる（コアユニットをノズルプレートに接続して）ため、複数の整列に起因する不整列を阻止することができる。
［４．キット］
【０１９８】
いくつかの実施形態において、本明細書において提供されるのは、本明細書で説明される構成要素のいずれかを含むキットである。たとえば、本明細書において提供されるのは、対向する第１の表面および第２の表面と第１の表面および第２の表面を通って延在する１つまたは複数の孔とを含むスキャフォールドを含む部品のキットであって、各孔は第１のチャネルおよび第１の連結インターフェースを含む。部品のキットは、複数のノズルを追加的に含み、各ノズルは、第２のチャネルおよび第２の連結インターフェースを含み、第２のインターフェースは、第１のチャネルおよび第２のチャネルを流体が通ることを可能にしつつ、各孔の第１の連結インターフェースに取り外し可能にかつ安定的に結合され得る。キットは、複数の閉鎖構造をさらに含み、各閉鎖構造は、第３の連結インターフェースを含み、第３のインターフェースは、各孔の第１の連結インターフェースに、取り外し可能にかつ安定的に結合され、それによって孔を封止することができる。いくつかの実施形態において、各ノズルの少なくとも第２のチャネルは、繊維の形成を可能にするように構成される内径を有する。
［５．システム／デバイス］
【０１９９】
いくつかの実施形態において、本明細書においてさらに提供されるのは、本明細書で説明される構成要素のいずれかを含む、システム、デバイス、装置などである。
【０２００】
いくつかの実施形態において、本明細書においてさらに提供されるのは、対向する第１の表面および第２の表面と第１の表面および第２の表面を通って延在する複数の孔とを含む、本明細書で説明されるスキャフォールドを含むシステムであり、各孔は第１のチャネルおよび第１の連結インターフェースを含む。システムは、本明細書で説明される複数のノズルを追加的に含み、各ノズルは、第２のチャネルおよび第２の連結インターフェースを含み、第２のインターフェースは、第１のチャネルおよび第２のチャネルを流体が通ることを可能にしつつ、孔の一部の第１の連結インターフェースに取り外し可能にかつ安定的に結合される。システムは、本明細書で説明される複数の閉鎖構造をさらに含み、各閉鎖構造は、第３の連結インターフェースを含み、第３のインターフェースは、残りの孔の第１の連結インターフェースに、取り外し可能にかつ安定的に結合され、それによって残りの孔を封止する。いくつかの実施形態において、各ノズルの少なくとも第２のチャネルは、繊維の形成を可能にするように構成される内径を有する。
【０２０１】
いくつかの実施形態において、本明細書においてさらに提供されるのは、対向する第１の表面および第２の表面を含む、本明細書で説明されるスキャフォールドを含む装置であり、第１の表面は流体（たとえば、ポリマー材料）の少なくとも１つの供給源に流体連通する。装置はまた、第１の表面から第２の表面までスキャフォールドを通って延在し、流体を輸送するように構成された、本明細書で説明される複数の孔を含み、各孔は、そこからポリマー材料の押し出しを可能にする、または阻止するように、個別に／独立して構成される、本明細書で説明される連結システムを含む。
［６．使用の方法／用途］
【０２０２】
本開示により、繊維形成のために構成された、無比でカスタマイズ可能なデバイス（たとえば、ノズルプレート、スキャフォールドなど）が提供される。いくつかの実施形態において、本明細書で説明される繊維形成／紡糸デバイスは、ミクロン径またはナノメートル径の繊維を形成するように構成されていてもよい。いくつかの実施形態において、本明細書で説明されるノズルプレート、スキャフォールドなどは、以下のいずれか２つを含み、かつその間の範囲である直径を有する繊維を形成するように構成されてもよい：約１ｎｍ、約５ｎｍ、約１０ｎｍ、約１５ｎｍ、約２０ｎｍ、約３０ｎｍ、約４０ｎｍ、約５０ｎｍ、約６０ｎｍ、約７０ｎｍ、約８０ｎｍ、約９０ｎｍ、約１００ｎｍ、約１２０ｎｍ、約１３０ｎｍ、約１４０ｎｍ、約１５０ｎｍ、約１６０ｎｍ、約１７０ｎｍ、約１８０ｎｍ、約１９０ｎｍ、約２００ｎｍ、約３２０ｎｍ、約３３０ｎｍ、約３４０ｎｍ、約３５０ｎｍ、約３６０ｎｍ、約３７０ｎｍ、約３８０ｎｍ、約３９０ｎｍ、約４００ｎｍ、約４２０ｎｍ、約４３０ｎｍ、約４４０ｎｍ、約４５０ｎｍ、約４６０ｎｍ、約４７０ｎｍ、約４８０ｎｍ、約４９０ｎｍ、約５００ｎｍ、約５２０ｎｍ、約５３０ｎｍ、約５４０ｎｍ、約５５０ｎｍ、約５６０ｎｍ、約５７０ｎｍ、約５８０ｎｍ、約５９０ｎｍ、約６００ｎｍ、約６２０ｎｍ、約６３０ｎｍ、約６４０ｎｍ、約６５０ｎｍ、約６６０ｎｍ、約６７０ｎｍ、約６８０ｎｍ、約６９０ｎｍ、約７００ｎｍ、約８２０ｎｍ、約８３０ｎｍ、約８４０ｎｍ、約８５０ｎｍ、約８６０ｎｍ、約８７０ｎｍ、約８８０ｎｍ、約８９０ｎｍ、約９００ｎｍ、約９２０ｎｍ、約９３０ｎｍ、約９４０ｎｍ、約９５０ｎｍ、約９６０ｎｍ、約９７０ｎｍ、約９８０ｎｍ、約９９０ｎｍ、約１μｍ、約５μｍ、約１０μｍ、約１５，μｍ、約２０μｍ、約３０μｍ、約４０μｍ、約５０μｍ、約６０μｍ、約７０μｍ、約８０μｍ、約９０μｍ、約１００μｍ、約１１０μｍ、約１２０μｍ、約１３０μｍ、約１４０μｍ、約１５０μｍ、約１６０μｍ、約１７０μｍ、約１８０μｍ、約１９０μｍ、約２００μｍ、約２１０μｍ、約２２０μｍ、約２３０μｍ、約２４０μｍ、約２５０μｍ、約２６０μｍ、約２７０μｍ、約２８０μｍ、約２９０μｍ、約３００μｍ、約３１０μｍ、約３２０μｍ、約３３０μｍ、約３４０μｍ、約３５０μｍ、約３６０μｍ、約３７０μｍ、約３８０μｍ、約３９０μｍ、約４００μｍ、約４１０μｍ、約４２０μｍ、約４３０μｍ、約４４０μｍ、約４５０μｍ、約４６０μｍ、約４７０μｍ、約４８０μｍ、約４９０μｍ、および約５００μｍ。
【０２０３】
本明細書で説明される繊維形成／紡糸デバイスおよび方法において使用するための例示的なポリマー材料としては、ポリプロピレン、ポリエチレン、ポリ（エチレンオキシド）、ポリエチレンテレフタレート、ナイロン、ポリビニルアルコール、ポリビニルピロリドン、ポリフッ化ビニリデン、ポリスチレン、ポリプロピレン、ポリエチレン、ポリ（エチレンオキシド）、ポリエチレンテレフタレート、ポリアクリロニトリル、ポリイミド、ポリ塩化ビニル、ポリカーボネート、ポリウレタン、ポリスルホン、ポリ乳酸、ポリテトラフルオロエチレン、ポリベンズオキサゾール類、ポリアラミド、ポリ（フェニレンスルフィド）、ポリフェニレンテレフタルアミド、ポリテトラフルオロエチレン、およびそれらの組み合わせが挙げられてもよいが、これらに限定されない。
【０２０４】
ここで図１６を参照すると、繊維を形成するための例示的な方法１６００のフローチャートが、一実施形態によって示される。方法１６００は、本明細書で説明される特徴／構成要素、たとえば、他の実施形態および図を参照しながら説明されるもの、のうち任意のものと併せて実施されてもよい。方法１６００はまた、様々な用途のために、かつ／または様々な置き換えに従って、使用されてもよく、これは本明細書で説明される例証的な実施形態／態様において、述べられる場合も述べられない場合もある。たとえば、方法１６００は、いくつかの実施形態において、図１６に示される操作／工程より多くの、またはより少ない操作／工程を含んでもよい。さらに、方法１６００は、そこに示される操作／工程の順序によって限定されない。
【０２０５】
図１６に示すように、方法１６００は、本明細書で説明される、スキャフォールドの第１の表面を、流体（たとえば、ポリマー材料）の少なくとも１つの供給源に接触させる段階を含み、ここで、スキャフォールドは、第１の表面に対向する第２の表面と、第１の表面および第２の表面を通って延在する複数の孔とを含み、各孔は、第１のチャネルと、取り外し可能なノズルの第２の連結インターフェースまたは取り外し可能な閉鎖構造の第３の連結インターフェースと結合するように構成された第１の連結インターフェースとを含む。工程１６０２を参照されたい。方法１６００は、孔の一部の第１の連結インターフェースを、複数の取り外し可能なノズルの第２の連結インターフェースに結合する段階を追加的に含み、ここで、各取り外し可能なノズルは、それが結合された孔の第１のチャネルに流体連通する第２のチャネルを含み、ノズルの少なくとも第２のチャネルは、ポリマー材料からの繊維の形成を可能にするように構成された内径を有する。工程１６０４を参照されたい。方法１６００はまた、残りのすべての孔の第１の連結インターフェースを、複数の取り外し可能な閉鎖構造の第３の連結インターフェースと結合する段階であって、各取り外し可能な閉鎖構造は、それが結合された孔を封止するように構成された段階と、取り外し可能なノズルの第２のチャネルからポリマー材料を押し出して繊維を形成する段階とを含む。工程１６０６および工程１６０８を参照されたい。
【０２０６】
方法１６００はまた、いくつかの実施形態において、ポリマー繊維の形成のために、本明細書で説明される単一のノズルプレートに対して実施されてもよいことが留意される。
【０２０７】
別に定義されていない限り、本明細書において使用されるすべての技術的および科学的用語は、本発明が属する技術分野の当業者によって一般に理解される意味と同じ意味を有する。
【０２０８】
本明細書および請求項にわたって、文脈において別段に求められない限り、用語「ｃｏｍｐｒｉｓｅ（含む）」およびその変形（たとえば、「ｃｏｍｐｒｉｓｅｓ」および「ｃｏｍｐｒｉｓｉｎｇ」）は、オープンで包括的な意味である、すなわち、「含むが、これらに限定されない」として解釈されるものとする。さらに、文脈において明確に別段の指示がない限り、単数形の「ａ」、「ａｎ」、および「ｔｈｅ」は、複数の指示対象を含む。
【０２０９】
本明細書にわたる数値の範囲の列挙は、その範囲を規定する値を含む、その範囲に含まれる個々の値それぞれに個別に言及することを略して表記したものであることが意図され、個々の値それぞれは、本明細書に個別に列挙されているものとして本明細書に組み込まれる。
【０２１０】
本明細書における、「約」のついた値またはパラメータへの言及は、その値またはパラメータ自体を対象とする実施形態を含む（かつ説明する）。いくつかの実施形態において、用語「約」は、表示された量±１０％を含む。
【０２１１】
本明細書にわたる、「一実施形態」または「ある実施形態」への言及は、その実施形態に関連して説明される特定の特徴、構造、または特性が、本発明の少なくとも１つの実施形態に含まれることを意味する。したがって、本明細書にわたる様々な箇所における語句「一実施形態において」または「ある実施形態において」が見られても、必ずしもすべてが同じ実施形態に言及しているわけではなく、しかし、いくつかの例において、言及している場合がある。さらに、特定の特徴、構造、または特性は、１つまたは複数の実施形態において、任意の好適な仕方で、組み合わされる場合がある。
【０２１２】
加えて、本発明の特徴または態様がマーカッシュ群の観点から説明される場合、本発明はまた、それによって、マーカッシュ群の任意の個々の構成要素または構成要素のサブグループの観点から説明されることが、当業者には理解されるであろう。
【０２１３】
本明細書において言及されるすべての公報、出願特許、特許、および他の参考文献は、それぞれが個別に参照により引用された場合と同じ程度に、それらの全体を参照により明白に引用される。矛盾がある場合、定義を含めて、本明細書が支配する。
【０２１４】
本明細書において説明され、特許請求される本発明は、本明細書で開示される特定の実施形態によってその範囲が限定されるものではなく、これは、これらの実施形態が本発明のいくつかの態様の例示として意図されているためである。実際、本明細書で示され、説明される変更態様に加えて、様々な変更態様が、前述の説明から、当業者には明らかになるであろう。そのような変更態様は、実質的に同じやり方で同じ結果を達成するために、本発明の任意の態様に対する公知の均等物の置換を含む。そのような変更態様はまた、添付した請求項の範囲に入ることが意図される。
【図１Ａ】
2020532664.tif 000003
【図１Ｂ】
2020532664.tif 000004
【図２Ａ】
2020532664.tif 000005
【図２Ｂ】
2020532664.tif 000006
【図２Ｃ】
2020532664.tif 000007
【図２Ｄ】
2020532664.tif 000008
【図２Ｅ】
2020532664.tif 000009
【図２Ｆ】
2020532664.tif 000010
【図２Ｇ】
2020532664.tif 000011
【図２Ｈ】
2020532664.tif 000012
【図３Ａ】
2020532664.tif 000013
【図３Ｂ】
2020532664.tif 000014
【図３Ｃ】
2020532664.tif 000015
【図４Ａ】
2020532664.tif 000016
【図４Ｂ】
2020532664.tif 000017
【図４Ｃ】
2020532664.tif 000018
【図４Ｄ】
2020532664.tif 000019
【図４Ｅ】
2020532664.tif 000020
【図４Ｆ】
2020532664.tif 000021
【図４Ｇ】
2020532664.tif 000022
【図４Ｈ】
2020532664.tif 000023
【図４Ｉ】
2020532664.tif 000024
【図５Ａ】
2020532664.tif 000025
【図５Ｂ】
2020532664.tif 000026
【図６Ａ】
2020532664.tif 000027
【図６Ｂ】
2020532664.tif 000028
【図６Ｃ】
2020532664.tif 000029
【図６Ｄ】
2020532664.tif 000030
【図６Ｅ】
2020532664.tif 000031
【図７Ａ】
2020532664.tif 000032
【図７Ｂ】
2020532664.tif 000033
【図８Ａ】
2020532664.tif 000034
【図８Ｂ】
2020532664.tif 000035
【図９Ａ】
2020532664.tif 000036
【図９Ｂ】
2020532664.tif 000037
【図９Ｃ】
2020532664.tif 000038
【図１０Ａ】
2020532664.tif 000039
【図１０Ｂ】
2020532664.tif 000040
【図１１Ａ】
2020532664.tif 000041
【図１１Ｂ】
2020532664.tif 000042
【図１１Ｃ】
2020532664.tif 000043
【図１１Ｄ】
2020532664.tif 000044
【図１２Ａ】
2020532664.tif 000045
【図１２Ｂ】
2020532664.tif 000046
【図１２Ｃ】
2020532664.tif 000047
【図１２Ｄ】
2020532664.tif 000048
【図１３】
2020532664.tif 000049
【図１４Ａ】
2020532664.tif 000050
【図１４Ｂ】
2020532664.tif 000051
【図１５】
2020532664.tif 000052
【図１６】
2020532664.tif 000053
【国際調査報告】
2020532664.tif 000054
2020532664.tif 000055